(57)【要約】本発明は、少なくとも１種類の蛍光標識で標識した試料のサブ分解能空間情報を得るための方法に関する。該方法では、蛍光局在化顕微鏡法を用いることで局在化画像データを取得される。局在化画像データは、約１ｋＷ／ｃｍ2から約１ＭＷ／ｃｍ2の範囲の強度を有する照明光を用いて試料の目的領域を照明し、蛍光標識の複数蛍光分子の少なくとも一部によって照明時に放出された蛍光の少なくとも一部を、情報取得センサによって検出し、その照明と検出とを複数回繰り返し、異なる時間段階で撮られた一連の画像を含む。局在化画像データから、少なくとも１つの空間位置において少なくとも１種類の蛍光標識の蛍光分子の位置についての局在化情報が得られ、各画像において、少なくとも１つの空間方向において、１つまたは複数の蛍光標識の単一蛍光分子から検出された蛍光放出の分布の重心位置が決定される。
2011514532.tif 000002
【特許請求の範囲】
【請求項１】
少なくとも１種類の蛍光標識によって標識された試料のサブ分解能空間情報を取得する方法であって、前記サブ分解能空間情報は、少なくとも１つの空間方向において、前記少なくとも１種類の蛍光標識の蛍光分子の位置についての局在化情報を含み、該方法は、
−蛍光局在化顕微鏡法を用いることで局在化画像データを取得する取得ステップと、ここで、該局在化画像データが、
−約１ｋＷ／ｃｍ2から約１ＭＷ／ｃｍ2の範囲の強度を有する照明光を用いて前記試料の目的領域を照明する照明ステップと、
−前記少なくとも１種類の蛍光標識の蛍光分子の少なくとも一部によって照明時に放出された蛍光の少なくとも一部を、情報取得センサによって検出する検出ステップであって、それによって前記目的領域の画像を取得する、検出ステップと、
−前記照明ステップと、前記放出された蛍光の前記検出ステップとを複数回繰り返す繰返しステップであって、それによって、異なる時間段階で撮られた各画像を含む一連の画像を取得する、繰返しステップと、
によって取得された一連の画像を含むものであり、
−取得された前記局在化画像データを処理する処理ステップであって、それによって、少なくとも１つの空間位置において前記少なくとも１種類の蛍光標識の蛍光分子の前記位置についての前記局在化情報を得る、処理ステップと、
を含み、
前記処理ステップは、検出された前記一連の画像のそれぞれにおいて、少なくとも１つの空間方向において、前記１つまたは複数の蛍光標識の単一蛍光分子から検出された蛍光放出分布の重心位置を決定する決定ステップを含む、方法。
【請求項２】
照明によって、前記蛍光分子の少なくとも一部が、第１蛍光状態から、可逆的に退色した第２状態に移行する、請求項１に記載の方法。
【請求項３】
照明によって、前記少なくとも１種類の蛍光標識の前記蛍光分子の少なくとも一部が、前記第１蛍光状態から前記第２状態に移行し、前記第１蛍光状態に回復後に、不活性な第３状態に移行する、請求項２に記載の方法。
【請求項４】
前記第３状態が、非可逆的に退色した状態である、請求項３に記載の方法。
【請求項５】
前記１つまたは複数の蛍光標識が、蛍光タンパク質、および／またはその誘導体、および／またはその修飾体を含む、請求項１から請求項４のいずれか一項に記載の方法。
【請求項６】
前記１つまたは複数の蛍光標識が、非タンパク質に基づく蛍光標識、および／またはその誘導体を含む、請求項１から請求項５のいずれか一項に記載の方法。
【請求項７】
前記１つまたは複数の蛍光標識が、緑色蛍光タンパク質（ＧＦＰ）、および／またはその誘導体、および／またはその修飾体、例えば、緑色蛍光タンパク質（ＧＦＰ）、シアン蛍光タンパク質（ＣＦＰ）、黄色蛍光タンパク質（ＹＦＰ）、ＯＦＰ、高感度緑色蛍光タンパク質（ｅＧＦＰ）、ｅｍＧＦＰ、高感度黄色蛍光タンパク質（ｅＹＦＰ）を含む、請求項１から請求項６のいずれか一項に記載の方法。
【請求項８】
前記１つまたは複数の蛍光標識が、モノマー赤色蛍光タンパク質（ｍＲＦＰ）、およびその誘導体、およびその修飾体、例えばｍＣｈｅｒｒｙを含む、請求項１から請求項７のいずれか一項に記載の方法。
【請求項９】
前記１つまたは複数の蛍光標識が、ローダミン誘導体、例えば非タンパク質用のＡｌｅｘａ色素および／またはＡｔｔｏ色素を含む、請求項１から請求項８のいずれか一項に記載の方法。
【請求項１０】
前記１つまたは複数の蛍光標識が、キサンテン誘導体、例えばフルオレセインを含む、請求項１から請求項９のいずれか一項に記載の方法。
【請求項１１】
前記１つまたは複数の蛍光標識が、ローダミン誘導体、例えばＡｌｅｘａ色素および／またはＡｔｔｏ色素を含む、請求項１から請求項１０のいずれか一項に記載の方法。
【請求項１２】
前記１つまたは複数の蛍光標識が、クマリン誘導体を含む、請求項１から請求項１１のいずれか一項に記載の方法。
【請求項１３】
前記１つまたは複数の蛍光標識が、シアニン誘導体を含む、請求項１から請求項１２のいずれか一項に記載の方法。
【請求項１４】
前記使用する蛍光局在化顕微鏡が、光学照明光路の共焦点設定、光学照明光路の広視野設定、４Ｐｉ設定、ＳＴＥＤ設定またはＳＴＥＤ−４Ｐｉ設定を有する、請求項１から請求項１３のいずれか一項に記載の方法。
【請求項１５】
前記使用する照明光が単色である、請求項１から請求項１４のいずれか一項に記載の方法。
【請求項１６】
複数の異なる種類の蛍光標識が使用され、且つ、
蛍光局在化顕微鏡法を使用することによって目的領域において１つまたは複数の対象物の局在化画像データを取得する前記取得ステップが、前記約１ｋＷ／ｃｍ2から１ＭＷ／ｃｍ2の範囲内から選択される光学強度を有する照明光を用いて、蛍光標識ごとに別々に実行される、請求項１から請求項１５のいずれか一項に記載の方法。
【請求項１７】
前記取得した局在化画像データを処理する前記処理ステップが、下記モデル関数ｆ（ｘ，ｙ）を、時系列の二次元画像のそれぞれにおける前記単一蛍光分子から取得される前記蛍光発光分布にフィッティングするステップを含む、請求項１から請求項１６のいずれか一項に記載の方法。
【数１】
2011514532.tif 000009
式中、ｘおよびｙは、前記顕微鏡の光軸に垂直な対象物面における直交座標
ｘ0およびｙ0は、セグメント化されたシグナルの中心として決定される、前記位置の開始パラメータ
Ａは、分布の振幅
Ｂ0、Ｂ1、Ｂ2は、線形バックグラウンドを表すパラメータ
【請求項１８】
前記局在化画像データを取得する前記取得ステップにおいて、前記目的領域における前記１つまたは複数の対象物が構造化照明光によって照明される、請求項１から請求項１７のいずれか一項に記載の方法。
【請求項１９】
前記顕微鏡の光軸に沿って、空間的に構造化された、それぞれ変調された照明光を用いる広視野蛍光顕微鏡法を使用することによって、前記目的領域の一連の広視野画像を含む追加の広視野画像データを取得するステップをさらに含み、前記取得する追加の広視野画像データが、
−前記目的領域における前記１つまたは複数の対象物を前記構造化照明光で照明するステップと、
−前記１つまたは複数の蛍光標識の前記蛍光分子から放出される前記蛍光の広視野画像を検出するステップと、
−前記対象物および／または前記構造化照明光を前記光軸に沿って別々のステップで移動させ、各ステップで前記蛍光分子から放出される前記蛍光の広視野画像を検出し、それによって前記目的領域の前記一連の広視野画像を得るステップと、によって得られ、
前記１つまたは複数の対象物の追加の広視野画像データを取得する前記ステップが、前記局在化画像データを取得する取得ステップの前に実行される、請求項１から請求項１８のいずれか一項に記載の方法。
【請求項２０】
−前記試料中の少なくとも１つの蛍光標識された対象物の光軸に沿った空間的広がりについての情報を含む追加の空間情報、および／または前記単一蛍光分子の前記光軸方向において検出された蛍光発光分布の重心位置についての追加の空間情報を得るために、前記取得した追加の広視野画像データを処理するステップと、
−前記局在化顕微鏡法によって得た前記局在化情報と、構造化照明光を用いる前記広視野蛍光顕微鏡法によって得られた前記追加の空間情報とを組み合わせるステップと、
をさらに含む、請求項１９に記載の方法。
【請求項２１】
−前記１つまたは複数の対象物内で検出されるすべてのシグナルのために、共通理論的三次元モデル関数を生成するステップであって、前記三次元モデル関数が光軸に沿って複数の二次元層に分割される、共通理論的三次元モデル関数を生成するステップと、
−前記取得された三次元画像データおよび前記三次元モデル関数の横方向相互相関を行うステップであって、相関関数の最大値が１つの対象物の識別と１つの三次元局在化とを表す、横方向相互相関を行うステップと、
をさらに含む、請求項１９または請求項２０に記載の方法。
【請求項２２】
閾値法を、得られた相関最大値に適用するステップをさらに含む、請求項２１に記載の方法。
【請求項２３】
前記構造化照明の空間較正を行うステップをさらに含み、前記空間較正が、少なくとも１つの蛍光基準点を活用して行われる、請求項１９から請求項２２のいずれか一項に記載の方法。
【請求項２４】
−構造化照明光を用いる広視野蛍光顕微鏡法によって前記１つまたは複数の対象物の追加の画像データを取得するステップの間において、前記少なくとも１つの蛍光標識の前記蛍光分子の少なくとも一部が活性状態に移行して、対応する遠視野観察で使用されるの対して、前記蛍光分子の第２部分が不活性状態のままであるように、前記１つまたは複数の対象物が前記構造化照明光によって照明され、
−蛍光局在化顕微鏡法を使用することによる局在化画像データを取得する前記取得ステップの間において、前記蛍光分子の第２部分が、光学的放射の照明光強度を前記約１ｋＷ／ｃｍ2から１ＭＷ／ｃｍ2の範囲内にある強度に変えることによって活性化され、蛍光局在化顕微鏡法を使用することによる局在化画像データを取得する前記取得ステップが、前記蛍光分子の前記第２部分に基づいて行われる、請求項１９から請求項２３のいずれか一項に記載の方法。
【請求項２５】
少なくとも１種類の蛍光標識によって標識された試料のサブ分解能空間情報を得るための蛍光局在化顕微鏡であって、前記サブ分解能空間情報は、少なくとも１つの空間方向における、前記少なくとも１種類の蛍光標識の蛍光分子の位置についての局在化情報を含み、前記顕微鏡は、
−光学照明光路を形成する照明光学機器であって、目的領域において、１つまたは複数の対象物を照明するために構成された照明光学機器と、
−前記局在化顕微鏡の前記光学照明光路内に位置する少なくとも１つの追加の光学素子であって、照明光の強度を１ｋＷ／ｃｍ2から１ＭＷ／ｃｍ2の範囲内にある強度に切替えることを可能にするように、および／または１ｋＷ／ｃｍ2から１ＭＷ／ｃｍ2の範囲内の照明光の強度の調整、それぞれ制御を可能にするように構成された、少なくとも１つの追加の光学素子と、
−光学検出路に位置する少なくとも１つの情報取得センサであって、放出された蛍光の少なくとも一部を検出するように構成され、それによって、照明された目的領域の画像を得る、少なくとも１つの情報取得センサと、
を備えた蛍光局在化顕微鏡。
【請求項２６】
前記局在化顕微鏡が、前記光学照明光路の共焦点設定、前記光学照明光路の広視野設定、４Ｐｉ設定、ＳＴＥＤ設定、またはＳＴＥＤ−４Ｐｉ設定を有する、請求項２５に記載の顕微鏡。
【請求項２７】
前記少なくとも１つの追加の光学素子が、１つまたは複数の
−少なくとも１つのレンズまたはレンズ系、
−少なくとも１つのグレーフィルタまたはグレーフィルタ一式、
−少なくとも１つの偏光フィルタ、
−少なくとも１つの音響光学モジュレータ、および／または
−少なくとも１つの電気光学モジュレータ
を含む、請求項２５または請求項２６に記載の顕微鏡。
【請求項２８】
少なくとも１つの追加の光学検出路で使用される少なくとも１つの追加のセンサをさらに備え、
前記追加のセンサおよび前記追加の光学検出路が、前記情報取得センサに達しない蛍光の少なくとも一部を登録するように構成されている、請求項２５から請求項２７のいずれか一項に記載の顕微鏡。
【請求項２９】
前記少なくとも１つの追加の光学検出路に位置する少なくとも１つの第２の追加の光学素子をさらに備える、請求項２８に記載の顕微鏡。
【請求項３０】
少なくとも１種類の蛍光標識によって標識された試料のサブ分解能空間情報を得るために、取得した前記局在化画像データを処理するように構成された処理ユニットをさらに備え、前記サブ分解能空間情報が、少なくとも１つの空間方向における、前記少なくとも１種類の蛍光標識の蛍光分子の前記位置についての局在化情報を含む、請求項２５から請求項２９のいずれか一項に記載の顕微鏡。
【発明の詳細な説明】
【技術分野】
【０００１】
本発明は、装置（顕微鏡、それぞれ（respectively）顕微鏡システム）、および観察される試料の目的領域における1つまたは複数の対象物に関するサブ分解能空間情報を得るための方法に関する。
【０００２】
具体的には、本発明は測定した対象物に標識するために使用される蛍光分子の検出および局在化（位置特定）（localization）に関する。
【背景技術】
【０００３】
光の波動性のため、光学顕微鏡法における像は回折限界であることが知られている。これは、点状の対象物が、センサ上の像空間でぼやけた円形（エアリーディスク）として登録されることにおいて明らかにされる。このぼけを説明する関数は、点像分布関数（Point-Spread-Function）または略してＰＳＦと呼ばれる。Ｅｒｎｓｔ  Ａｂｂｅによって明らかにされた（１８７３）顕微鏡の最大分解能と、使用される対物レンズの開口数（ＮＡ）と、波長（λ）との関係
ｄ＿ｍｉｎ＝λ／（２×ＮＡ）
を考慮にいれると、可視領域で最良の対物レンズおよび光を用いるとき、自然分解能として約２００ｎｍの最良分解能ｄ＿ｍｉｎを得る。多数のプロセスがかなり小さい規模で起こるので、Ａｂｂｅ限界を克服することは、現代の光学顕微鏡において最も困難であるが最も重要な課題の一つである。
【０００４】
電離放射線に基づく電子顕微鏡および他の超微細構造画像化の方法には、前例のない分解能の多大な利点があるが、他方「可視」光（すなわち紫外線から近赤外線までの波長範囲内の光）は、他の利点、例えば単一の三次元でインタクトな細胞において、および生体細胞においてさえ、適切に標識した複数種類の分子を識別する等の利点がある。したがって、可視光顕微鏡法を用いて高分解能を実行するための新規のアプローチによって、生物学的ナノ構造の研究のために、電離放射線画像化法の可能性を補完することは、極めて有用である。この潜在用途のいくつかの例としては、細胞膜のナノ構造または細胞核のゲノム構造を調べることにある。
【０００５】
例えば、蛍光共鳴エネルギー移動顕微鏡法（ＦＲＥＴ）は、励起のための可視光を用いて例えば２種類の分子間の距離測定を数ナノメートルレベルまで可能にする。蛍光相関分光法または光退色後蛍光回復法（ＦＲＡＰ）は、標識、それぞれ（respectively）マーキングした分子の細胞内運動解析もしくは標識解析を可能にする。しかし、機能的な細胞内プロセスを十分に理解するために、さらなる構造情報が必要である。細胞生物学および細胞生物物理学に関するこれらの課題や数多くの他の課題を解決するためには、適切な空間解析が不可欠である。この目標を達成する際の深刻な問題は、従来の光の光学分解能が横方向（laterally）に約２００ｎｍおよび軸方向（axially）に６００ｎｍに限定されていることであり、これは機能情報を完全に提供すために細胞のナノ構造を適切に分解できないことを意味する。
【０００６】
最近導入されたレーザ光「ナノスコピー」の種々のアプローチにより、この課題を克服し、光学分解能の「Ａｂｂｅ／Ｒａｙｌｅｉｇｈ限界」（ここで、元の式によれば対象物面（ｘ，ｙ）において使用する波長の約半分に相当し、かつ光軸（ｚ）の方向に約１波長に相当すると想定される）をはるかに越えて空間解析を拡大することが可能になる。特に蛍光顕微鏡法において、主にこの１０年の間に回折限界系の達成可能な分解能を着実に高めることが可能になった。
【０００７】
したがって、例えば共焦点レーザ走査蛍光４Ｐｉ顕微鏡法の概念では、全ての側面（「４Ｐｉジオメトリー」）から集光されるレーザ光線によって対象物を走査して、励起される蛍光を「点ごと」に検出する。２つの対向するレーザ光を共同焦点に構成的に集中させるために２つの対向する高開口数レンズを使用することにより、共焦点走査型レーザ４Ｐｉ顕微鏡法が、「ナノスコピー」法として確立され、１００ｎｍ程度までの軸光学分解能が可能になった。これは、従来の蛍光顕微鏡法が達成できる分解能よりも５〜７倍向上した分解能である。
【０００８】
多くの画像用途において、所望される構造情報は、Ａｂｂｅ限界よりも大きい距離によって互いに分離されるナノ構造のサイズである。この課題を解決するために、空間解析を向上させる構造化照明を使用するための多くの可能性の１つとして、空間変調照明（ＳＭＩ）遠視野光学顕微鏡法が開発された。ＳＭＩ顕微鏡法は、レーザ光線の定在波場を生成することに基づき、高開口数の２つの対向する対物レンズの後焦点面中にコヒーレント光を焦光させることによって等の種々の方法で実現させることができる。蛍光標識した対象物を２つの対物レンズ間に配置し、定在波場を通して少しずつ（例えば２０ｎｍまたは４０ｎｍ）で軸方向に移動させる。少しずつ動かすごとに、放出される蛍光を高感度ＣＣＤカメラで登録する。この手順によって、サブ波長サイズの個々の蛍光対象物を数十ナノメートルまでの軸方向径の測定が可能となり、かつ「点状」の蛍光対象物間の軸方向距離（横方向距離ではＡｂｂｅ限界よりも大きい）を数十ナノメートルの範囲まで、１ｎｍの範囲の精度で決定することが可能となる。いくつかの生物物理用途の例では、転写ファクトリーのサイズの研究および個々の遺伝子領域の研究のためにＳＭＩ顕微鏡法が有用であることが示されている。
【０００９】
構造化照明および構造化検出を使用することで、遠視野法および共焦点法の分解能が、横方向に約２倍および光軸に沿って（軸方向に）６倍まで増大する。横方向分解能（lateral resolution）を改善するこれらの方法は、既存の顕微鏡に組み込むことまたは新たに導入することが簡単であることが多い。これとは対照的に、軸方向分解能（axial resolution）の最良の改善方法は、技術的に最も複雑な光路を主に使用する。生物系の解析のためには、遠視野法として適用されることが多いこの横方向法は十分な速さである。軸方向分解能の改善のための共焦点方法は主に、走査技法であり、かつそのような測定としては遅すぎるかまたは高い光学的要件を満たしていないかのいずれかである。
【００１０】
誘導放出抑制（ＳＴＥＤ）顕微鏡法は、集光ビーム法であり、この方法では励起した領域のサイズが誘導放出抑制によって大幅に減少する。現在、この技法により、可視光を用いることにより１５〜２０ｎｍ範囲で光学の横方向（ｘ，ｙ）分解能が可能になる。視野を十分に小さく（数ナノメートルの範囲で）できる場合、ｉｎ  ｖｉｖｏで数十フレーム／秒のＳＴＥＤ顕微鏡法が報告されている。
【００１１】
ＳＴＥＤ顕微鏡法は、ＲＥＳＯＬＦＴ（可逆的飽和性光学蛍光遷移顕微鏡法）の特別な例として見なすことができ、この場合原理的には数ｎｍの範囲での光学分解能が、可視光を用いることで可能になるはずである。
【００１２】
ＲＥＳＯＬＦＴ法は、非線形効果を利用することで、分子レベルまでの理論上任意の高分解能をもたらす。しかし、この方法が成功するかは、マーカーまたは標識で使用する色素の物理的性質および観察される試料、それぞれ（respectively）スライド標本の光学的性質によって限定される。三次元対象物再構成は今まで、構造化照明を使用する非常に複雑な方法に依存しなければならなかった。現在使用されている色素によっては、分解能を横方向および軸方向に改善することは可能であるが、しかしこれらの方法は今まで、活動的なプロセスの画像化には適していなかった。
【００１３】
従来の遠視野蛍光光学顕微鏡法の回折限界分解能よりも１０倍を超える良精度で、「点状」の蛍光対象物を光学顕微鏡的に局在化することができるという経験に基づき、スペクトル精密距離顕微鏡法（Spectral Precision Distance Microscopy：ＳＰＤＭ）が約１０年前に考え出された。
【００１４】
ＳＰＤＭは、以下に基づく遠視野光学顕微鏡法である：
ａ）異なるスペクトルシグネチャ（省略のため、カラーとも称する）で近隣の「点状」対象物を標識することと、
ｂ）それらのスペクトルシグネチャに従って、放出された光子を「ソートする」ために、スペクトル的に選択登録することと、
ｃ）高精度位置をモニターすること。
【００１５】
本来は、この「異なるスペクトルシグネチャ」は、異なる励起／発光スペクトルによって認識されたが、光物理的な識別を可能にするために、蛍光寿命、光ルミネセンスおよび確率標識スキーム等の他の「光子ソート」方式も含むように考え出された。蛍光寿命測定と組み合わせて、ＳＰＤＭの概念を単一分子のナノメートル分解能に適用できることが実験的に確認された。具体的には、異なる光安定性のスペクトルシグネチャの蛍光標識と、色ずれのｉｎ  ｓｉｔｕ較正を含む手順とを用いることで、３０ｎｍ未満の横方向（２Ｄ）の位置と距離（distance）の分解能ならび５０ｎｍ未満の三次元（３Ｄ）分解能は、標準共焦点走査型レーザ顕微鏡を用いて小分子ＤＮＡ標的の特別なＦＩＳＨ標識の後に、固定細胞核において達成された。このようにして、ＳＰＤＭを適用することに成功し、高開口数遠視野蛍光顕微鏡の従来の回折限界光学分解能を大幅に下回る位置および距離の測定によって、インタクトに３Ｄ保存された細胞核内のゲノム領域の超分子構造を解析した。このＳＰＤＭの概念（「共局在化（colocalization）」とも称される）は、単一分子を含む種々の他の用途においても有用であることが判明した。
【００１６】
生物学的ナノ構造の解明に「ＳＰＤＭ」を最初に適用した間に、異なる発光波長を有する蛍光色素分子で対象物を標識し、かつシグナルを同時に取得した。一般的に５０ｎｍのバンド幅で選択可能な分子の蛍光発光スペクトルは、比較的広範である。そのようなものとして、蛍光顕微鏡法では、検出可能な波長は約６００ｎｍの全領域に限定され、かつわずかに数「色」（発光スペクトルにおける差異の意味で）を同一対象物内で同時に使用できる。
【００１７】
最初の論文以来、遠視野蛍光法に概念的に関連するいくつかの方法が提唱されてきた。例えばＢＬＩＮＫＩＮＧ（灯台のように、光源が所定の周波数によって光をパルスで発光することを意味する）、ＦＰＡＬＭ（fluorescence photoactivation localization microscopy：蛍光光活性化局在化顕微鏡法）、ＰＡＬＭ（photoactivation localization microscopy：光活性化局在化顕微鏡法）、ＰＡＬＭＩＲＡ（独立画像取得型のＰＡＬＭ）、ＳＴＯＲＭ（確率的光学再構成顕微鏡法）がある。
【００１８】
総称として、これらのすべてのアプローチは、「スペクトル割当型局在化顕微鏡法」（Spectrally Assigned Localization Microscopy：ＳＡＬＭ）の諸方法と見なすこともでき、ここではある対象物の局在化は、特有のスペクトルシグネチャに割り当てられる。これらの「ＳＰＤＭ／ＳＡＬＭ」アプローチの基本原理は、「光学的分離」（空間領域および／または時間領域において）であり、したがって放出される光の特性に基づく任意の光子に起因する個々の「点状」対象物の独立した局在である。これが意味することは、例えば、使用した顕微鏡系の点像分布関数（ＰＳＦ）の（ｘ，ｙ、ｚ）半値全幅（ＦＷＨＭ）によって限定される所定の回折限界観察値において、所定の時間間隔でおよび所定のスペクトル登録モードに対して、わずかに１つのこのような対象物（例えば単一分子）または一定の条件下でわずかに少数の対象物しか登録されないことである。
【００１９】
光活性化の後、単一分子の蛍光バーストを画像化することによって、点像分布関数の半値全幅よりも非常に高い精度で、その分子の位置を決定することができる。換言すれば、これらの顕微鏡法アプローチは、同一の標本、それぞれ（respectively）同一の目的領域についての複数（例えば数千）の画像の登録に基づいており、その結果、時間−空間連続の第４座標を「走査」することによって光学分解能が向上する。
【００２０】
ＰＡＬＭおよび関連する技法で使用する分子およびタンパク質は、蛍光標識である。これらの蛍光標識は、ほとんどの蛍光分子が、所定の波長λexcでの蛍光励起に対して最初は不活性状態になるように化学修飾（例えば適切な側基を加えることによって）されている。この状態（「暗」スペクトルシグネチャとも称される）は、例えば、蛍光励起の波長とは異なる限定された波長λphot（例えば近紫外内で）の光による照明によって蛍光状態（「明」スペクトルシグネチャ）とも称される）に変えることができる。蛍光マーカーの活性化、すなわち換言すれば「暗」スペクトルシグネチャから「明」スペクトルシグネチャへの移行が、低強度を用いることで確率的に行われる場合、検出器の一取得時間間隔内、それぞれ（respectively）取得時間枠内でわずかに少量の分子だけが活性化され、したがってそれらのシグナルの光学的分離を達成できる。λexcによるそれに続く照明のために、これらの光学的に分離された分子によって放出される蛍光シグナル（「明」スペクトルシグネチャ）は、次いで、これらの分子が不可逆的に退色するまで（すなわち、「暗」スペクトルシグネチャに不可逆的に移行するまで）登録される。これらの蛍光シグナルから、単一分子の位置を高精度で決定できる。良好な光学的条件下で、局在正確度は、数ｎｍ範囲で可能になる。この手順を繰り返すことで（例えば約１０，０００の個々の画像フレームを登録することによって）、個々の分子の相互距離がＡｂｂｅ／Ｒａｙｌｅｉｇｈ限界よりはるかに下回っていても、これらの分子の位置を得ることができる。読取レーザ（λexc）による分子の自己活性化を用いる場合、λphotでの光活性化プロセスおよび第２レーザ線（λexc）の使用を回避できる。
【００２１】
スペクトル割当局在化顕微鏡法（ＳＡＬＭ）／スペクトル精度距離顕微鏡法（以後、短く局在化顕微鏡法と称す）（独国特許出願公開第１００５２８２３．６号明細書、ＤＥ５９７０５００９．０−０８、独国実用新案第２９７０１６６３．３号明細書、ＵＳ０９／３３１，６４４４、独国特許出願公開第１９８３０５９６．６号明細書、特願２０００-５０２４０６号、ＵＳ０９４６２４３５、国際出願番号ＰＣＴ／ＥＰ０２／１１３４３号、国際公開第２００６／１２７６９２号Ａ２パンフレット、米国特許出願公開第２００８００３２４１４Ａ１号明細書）の方法は、原理的には、１桁のナノメートル範囲での横方向分解能を可能にする。局在化顕微鏡法は特に、必要とされる光学部品および機械部品に関する要件が比較的低いことを特徴とする。また、装置の調整は、極めてユーザフレンドリーに行える。Ａｂｂｅ限界を克復するために、局在化顕微鏡法は、１つの単一蛍光対象物をほぼ任意に正確に局在化することができるという事実を用いている。上述のように、前提条件は、蛍光対象物に対応する回折限界の円形が空間的に分離されて利用可能である、すなわち、他のシグナルで覆われないまたは重ねられないことである。発光している分子の横方向の位置は通常、回折限界の蛍光円形の中心から決定される。この決定を行うことができる精度は、検出される光子の数および関連するそのシグナル対ノイズ比に依存する。使用されるセンサは通常、二次元センサアレイであるが、第３の空間方向に沿って局在化を行うことも可能である。しかし、この局在化を行うために必要とするのは、検出される多数の光子（＞１０００）と併せて点像分布関数（ＰＳＦ）の極めて正確な三次元モデル関数か、または対象物空間で観察される分子の位置についてのさらなる知識のいずれかである。例えば国際公開第２００６／１２７６９２Ａ２に開示されているように、純粋の局在化顕微鏡法の方法だけを用いるだけでは、この結果を得ることは極めて困難である。軸方向部分と横方向部分で分離され、かつこの関数を収集したデータにフィティングするために分離される三次元点像分布関数を経験的に作成するために非点収差を利用する一方法も知られている。局在化を行うことができる平均精度、それぞれ（respectively）正確度は、約５５ｎｍ（標準偏差２３ｎｍ）である。検出される光子の典型的な数のため、およびレンズ−ＰＳＦが軸方向において高いぼけまたはスメアリングを示すという事実によって、この値は、これらの方法に対する一種の自然限界を表す。シングルサイクルの単一点再構成法またはマルチサイクルの単一点再構成法（single point-reconstruction method）による純粋の局在化顕微鏡法は、例えば生体細胞のｉｎ  ｖｉｖｏ測定等のアクティブなプロセスの観察に対しては不向きである。したがって、できるだけ小さい１つの期間内で、検出される十分な光子数と実現可能な点密度の間で妥協点を見つけることが、常に必要である。また、顕微鏡の機械的安定性は、検出時間が非常に長いと、局在化精度にさらなる限界をもたらすことになる。
【発明の概要】
【発明が解決しようとする課題】
【００２２】
本発明の一目的は、現在までに局在化顕微鏡法（localization microscopy）が確立した局在化の精度、それぞれ正確度の限界を克服することができ、さらに同時にその局在化プロセスを加速させ、最適化する方法および装置を提供することである。
【課題を解決するための手段】
【００２３】
本発明の一態様によれば、少なくとも１種類の蛍光標識によって標識された試料のサブ分解能空間情報を取得する方法を提供する。前記サブ分解能空間情報は、少なくとも１つの空間方向において、前記少なくとも１種類の蛍光標識の蛍光分子の位置についての局在化情報を含み、該方法は、
−蛍光局在化顕微鏡法を用いることで局在化画像データを取得する取得ステップと、ここで、該局在化画像データが、
−約１ｋＷ／ｃｍ2から１ＭＷ／ｃｍ2の範囲の強度を有する照明光を用いて前記試料の目的領域を照明する照明ステップと、
−前記少なくとも１種類の蛍光標識の複数蛍光分子の少なくとも一部によって照明時に放出された蛍光の少なくとも一部を、情報取得センサによって検出する検出ステップであって、それによって前記目的領域の画像を取得する、検出ステップと、
−前記照明ステップと、前記放出された蛍光の検出ステップとを複数回繰り返す繰返しステップであって、それによって、異なる時間段階で撮られた各画像を含む一連の画像を取得する、繰返しステップと、によって取得された一連の画像を含むものであり、
−取得された前記局在化画像データを処理する処理ステップであって、それによって、少なくとも１つの空間位置において前記少なくとも１種類の蛍光標識の蛍光分子の前記位置についての前記局在化情報を得る、処理ステップと、
を含む。前記処理ステップは、検出された前記一連の画像のそれぞれにおいて、少なくとも１つの空間方向において、前記１つまたは複数の蛍光標識の単一蛍光分子から検出された蛍光放出の分布の重心位置を決定する決定ステップを含む。
【００２４】
具体的には、一態様によれば、約１ｋＷ／ｃｍ2から１ＭＷ／ｃｍ2の範囲の強度を有する照明光の照明によって、蛍光分子の少なくとも一部は、第１状態から第２状態（該第１状態と異なる）に移行し、その際、蛍光を放出する。
【００２５】
第１状態は蛍光状態であり得る。ここで、「蛍光状態」とは具体的には、光子の吸収が蛍光光子の即時（ナノ秒範囲のスケール）放出をもたらす、分子の立体構造（conformation）を意味する。
【００２６】
第２状態は、半安定状態、または、それぞれ（respectively）半持続的な暗（例えば非蛍光）状態であり得る。具体的には、この第２状態は、可逆的に退色した状態であり得る。
【００２７】
さらなる態様によれば、照明によって、少なくとも１種類の蛍光標識の蛍光分子の少なくとも一部が、第１状態から第２状態に移行し、次いで第１状態に回復した後に、不活性な第３状態に移行する。
【００２８】
この第３状態は、持続的な不活性（例えば非蛍光または暗）状態であり得る。具体的には、第３状態は、不可逆的に退色した状態であり得る。本発明の範囲内で使用される用語「蛍光／非蛍光」とは通常、スペクトル的に識別できる任意の状態をいう。具体的には、用語「蛍光／非蛍光」とは、異なるスペクトル領域をいうこともある。本発明の範囲内で、用語「持続的な」とは、数分から数時間の範囲での時間間隔をいい、および用語「半安定の」または「半持続的な」とは、１ミリ秒から１分の範囲の間隔内で安定性を示す状態をいう。
【００２９】
照明は、連続的または不連続的のいずれかで行われてもよい。具体的には、所定の回折限界観察体積内でおよび所定の時間で、所定の蛍光標識の種類について統計的にただ１つの蛍光分子が存在するように、約１ｋＷ／ｃｍ2から約１ＭＷ／ｃｍ2の範囲の強度を有する照明光を用いて、目的領域において１つまたは複数の対象物を照明することであってもよい。したがって、各時間段階で取得したそれぞれの画像には、少なくとも１種類の蛍光標識の単一蛍光分子から実質的に空間的に分離された複数の蛍光シグナルを含む。単一蛍光分子からのこの蛍光シグナルは、通常、情報取得センサによって蛍光発光分布の形で検出される。さらに、使用した強度範囲により、蛍光分子から単一蛍光シグナルの効率的な時間分離を可能にする。
【００３０】
１つまたは複数の蛍光標識の単一蛍光分子の蛍光発光の重心の空間位置について得た情報から、試料内の１つまたは複数の蛍光標識された対象物の空間位置および／または１つまたは複数の該対象物のサイズおよび／または少なくとも１つの空間方向における該対象物間の距離についての情報を取得することができる。
【００３１】
本発明の一態様によれば、蛍光局在化顕微鏡法を用いることによって、回折限界分解能（以下に記載のサブ分解能）よりも高い分解能を達成するための新しいアプローチを提案する。使用する用語、蛍光「局在化顕微鏡法」は、具体的には、スペクトル精密距離顕微鏡法／スペクトル位置決定顕微鏡法（Spectral Position Determination microscopy：ＳＰＤＭ）またはスペクトル割当局在化顕微鏡法（ＳＡＬＭ）等に関連する顕微鏡的技法を網羅するように意図される。
【００３２】
約１ｋＷ／ｃｍ2から約１ＭＷ／ｃｍ2の強度範囲は、従来から、蛍光局在化顕微鏡法で測定を行うには不適当であるとみなされていた。具体的には、約１ｋＷ／ｃｍ2から１ＭＷ／ｃｍ2の強度領域は、広視野顕微鏡法および共焦点顕微鏡法の双方に対して不利な点だけをもたらすと考えられていた。したがって、広視野顕微鏡法において強度を高めることは、達成可能な分解能に対して何の利点もなく、プローブがかなり速く退色する原因となると考えられていた。共焦点顕微鏡法において、さらに良好なシグナル対ノイズ比を達成するために、強度がさらに必要であると考えられていた。
【００３３】
本発明は、従来のこの考えを捨てて、蛍光局在化顕微鏡法の目的のために高強度照明光の使用を提案する。具体的には、１ｋＷ／ｃｍ2から１ＭＷ／ｃｍ2の範囲で高強度照明光を使用することで、蛍光分子からシグナルの「光学的分離」（空間的および時間的の両方で）をさらに良好に、それぞれ（respectively）より効率的に達成することが可能になることが、予想外に発見された。
【００３４】
照明光の強度が提案される強度範囲内である局在化顕微鏡法を用いることで、さらに、従来の非遺伝子組換えタンパク質および他の非タンパク質をベースにした蛍光標識をサブ分解能測定のために利用することが可能になる。
【００３５】
さらに、さらなる空間情報、具体的には、局在化顕微鏡法によって観察される対象物面に対して垂直方向でのさらなる空間情報を得るために、局在化顕微鏡測定と他の遠視野測定または広視野測定を効率的に組み合わせることが可能になる。これは、従来の方法と比べると軸方向分解能を３０倍増大させることにつながることもある。
【００３６】
さらなる利点としては、データの検出、それぞれ収集を比較的速く、例えば５分未満内で行うことができる。これは、最高数時間を必要とする代替方法と比べると、２桁までの差を示す。これは、生物系のｉｎ  ｖｉｖｏ観察にとって特に有利である。したがって、厄介で複雑な技術的解決法を回避することが可能になる。これによって、ドリフト問題に対抗するもしくは該問題を軽減することができる、または観察する試料の生命の維持を提供することができる。対照的に、提案する方法を用いると、最小構造に関しても重要なｉｎ  ｖｉｖｏ観察も行うことが可能になる。
【００３７】
本出願の範囲内で用語「蛍光」の下で、この用語は、単色吸収だけに基づいては説明することができない同一対象物の照明スペクトル、それぞれ（respectively）励起スペクトルと、発光スペクトルとの間に差がある任意の光子の相互作用であると理解されたい。蛍光には、例えば具体的には、多光子相互作用が含まれ、それによって励起波長が発光波長よりも大きくなることがある。したがって、用語蛍光は、「ルミネセンス」および「光リン光」または短く「リン光」として密接に関連する現象に対して本出願の意味においても使用されることになる。これには、具体的には、より長い蛍光持続時間、例えばミリ秒の範囲での諸例が含まれる。蛍光分子の代わりに光標識するためにリン光を発する光標識を使用すること、それぞれ（respectively）リン光を発する分子を使用することは、これらの分子が長時間にわたり局在化を可能にするので、提案する新方法のｉｎ  ｖｉｖｏ適用性を向上させる点から見て、例えば有利になることがある。
【００３８】
本出願の範囲内で用語「蛍光分子」の下で、この用語は、任意の「点状」蛍光要素、すなわち、使用される照明、それぞれ励起光の波長よりもかなり小さいサイズを有し、測定される試料の標識化に適している任意の蛍光要素であると理解されたい。
【００３９】
表現「異なる種類の蛍光標識」とは、異なるスペクトルシグネチャを有する蛍光標識をいう。これに関して、「スペクトルシグネチャ」とは、光学的に識別される登録のために使われる例えば蛍光スペクトル、吸収、寿命等の任意の光物理的性質を意味する。
【００４０】
局在化顕微鏡法において部分的に循環するプロセスの過程は、以下のよう記述することができる。
【００４１】
約１ｋＷ／ｃｍ2から約１ＭＷ／ｃｍ2の間隔内で強度を有する照明光を蛍光標識した標本に照射することによって、ほとんど任意の従来の蛍光分子（有機フルオロフォアを含む）の蛍光分子でも、蛍光状態に移行し、次いでその状態から半安定の暗（非蛍光）状態に急速に移行することが発見されたのは、驚くべきことであった。
【００４２】
この半安定状態から、標識化で使用される色素分子の一部が活性化して、再び蛍光状態に移行することが発見されたのは、さらに驚くべきことであった。蛍光分子は、それによって統計的に、それぞれ（respectively）確率的に活性化され、その結果、活性化分子の密度が、回折限界の検出体積あたり１分子よりも低くなる。この体積は、有効な点像分布関数を活用して十分に説明することができる。例えば、検出体積に属するとして点像分布関数の最高強度の例えば半分よりも高い強度ですべての点を数えるという点において、説明することができる。活性化の後、センサを活用してのシグナルの取得、それに続いて、例えば退色および持続的な不活性状態への移行によって活性分子の非活性化を行う。
【００４３】
サブ分解能測定の目的で、蛍光状態から半安定状態（例えば可逆的に退色した状態）への移行と、蛍光状態から半安定状態への移行に次いで蛍光状態に回復した後に持続的な不活性状態への移行とを利用すると有利になることもある。退色を示さないまたは低レベルの退色を示すのいずれかの蛍光色素または標識を利用する場合、第１技法（蛍光状態から可逆的に退色した状態への移行）には、さまざまな利点があり得る。この蛍光色素または標識は、材料試験で、または量子ドットを利用するときに、使用されることが多い。蛍光状態と可逆的に退色した状態を切り替える効果は、ＡＬｅｘａ４８８蛍光標識でも観察された。さらに、この第１技法では、単一分子を用いて繰り返し検出することもできる（ＳＴＯＲＭおよびｄＳＴＯＲＭ技法と同様である）。
【００４４】
画像の検出、それぞれ（respectively）取得に関する上述のステップを複数回繰り返して、異なる時間で撮ったデータの取得バッチまたはスタック（いわゆるタイムスタック）を、コンピュータで実行する再構成プロセスによって再構成する。この目的のために、データのセグメンテーションを最初に実行して、すべての分子を同定することができる。さらなるステップにおいて、点像分布関数で使用した二次元または三次元モデル関数の、同定したシグナルとのフィッティングを行ってもよい。照明は強度が高いため、極めて短い時間内で活性分子を検出して、続いてそれらを非活性化させることが可能になる。これにより、単一蛍光分子から得たシグナルが確かに時間的に分離されることになる。
【００４５】
このようにして、得た局在化画像データには、異なる時間段階で撮った前述の目的領域に関する一連の画像が含まれ、各画像には、励起した蛍光分子から検出され、かつ実質的に空間的に分離された蛍光シグナルが含まれる。使用される情報取得センサが二次元センサ（例えばＣＣＤチップまたは他の適切な二次元センサ、それぞれ（respectively）センサアレイ）である場合、取得する画像は目的領域の二次元画像である。したがって、二次元で空間情報を得ることができる。一態様において、得られる画像は、対象物面、すなわち使用する局在化顕微鏡の光軸に実質的に平行な（ｘ，ｙ）面での画像であり、ここで、ｘおよびｙは、前述の対象物面において直交座標である。
【００４６】
半安定状態が存続する時間に応じて、蛍光シグナルの最適な時間的分離を達成するために、画像取得センサの積分時間および／または照明光の強度を調整してもよい。他方では、情報取得センサの画像取得の速度、それぞれ（respectively）積分時間に応じて、高強度光での照明による蛍光シグナルの光学的分離のために、ミリ秒程度から秒および数の程度までの安定時間で、半安定暗状態を効率的に利用することが可能である。
【００４７】
またこの方法を、分範囲の時間よりも長い時間に延長することも通常、可能である。この場合、さらなる技法を使用するためには、標識化のために用いる蛍光分子の空間安定性を確実にすることが必要であることもある。
【００４８】
少なくとも１つの空間方向において、通常は、少なくとも２つの直交する空間方向で、少なくとも１種類の蛍光標識の蛍光分子の位置についての局在化情報を得るためには、取得した時系列の（二次元）画像は、適切な（三次元）データ構造内に記憶され、かつさらなる処理を受けることができる。具体的には、少なくとも１つの空間方向において、通常は少なくとも対象物面で、使用した１つまたは複数の蛍光標識（以下でフルオロフォアとも呼ぶ）の単一蛍光分子の空間位置についての局在化情報は、得たその連続の二次元画像のそれぞれで、重心すなわち、単一蛍光分子の蛍光発光の重力の中心を決定することによって、得ることができる。異なるコンピュータで実行される様々な方法、例えば適切なモデル関数によるフィッティングをこの範囲まで使用することもできる。
【００４９】
局在化画像時系列全体を通して蛍光分子の位置を登録した後、単一蛍光分子の検出したすべての点、それぞれ（respectively）検出したすべての位置を１つの「マージ（merged）」画像、具体的には、目的領域での、および特に対象物面での空間位置についての情報および／または使用した蛍光標識（以下でフルオロフォアとも呼ぶ）の１つまたは複数の蛍光分子間の距離についての情報を含む１つの「マージ」二次元画像に割り当てることができる。
【００５０】
１つまたは複数の対象物を標識するために用いる単一蛍光分子の空間位置についての局在化情報から、１つまたは複数の蛍光標識した対象物の１つまたは複数の空間位置、および／または少なくとも１つの空間方向でのそれらのサイズ、それぞれ（respectively）広がり、および／または蛍光標識した対象物間の距離、および／または別の空間情報もしくはトポグラフ情報を極めて高い精度で決定することができる。
【００５１】
一態様によれば、第１状態は蛍光状態（活性状態）であり、第２状態は可逆的に退色した状態であり、第３状態は不可逆的に退色した状態である。
【００５２】
このように、蛍光シグナルの必要とされる光学的分離は、可逆的な光退色効果（「ブリンキング」または「ちらつき」とも称される）を利用することによって達成される。蛍光分子の構造が、非蛍光「暗」スペクトルシグネチャ状態（所定の励起条件で）に向かって不可逆的に修飾されている、ＰＡＬＭまたはＦＰＡＬＭで用いられる通常の退色効果とは異なり、本発明の一態様によって利用される退色効果は、可逆的なものである。
【００５３】
具体的には、約１ｋＷ／ｃｍ2から約１ＭＷ／ｃｍ2の範囲で、強度光で照明するとき、従来の蛍光標識（タンパク質分子または非タンパク質分子を含む）の大部分は可逆的に退色した状態を示すことを発見したことは驚くべきことであった。通常の蛍光状態は、一般的に数千回の発光サイクルの後に、不可逆的に退色した状態に変化し、この状態は、もはや特徴のある励起には利用できない。しかし、さらに、可逆的に退色した状態をもたらす付加的な反応チャネルは、蛍光標識、それぞれ（respectively）蛍光分子に利用できるようになる。この状態からの自動回復が、通常、ｍｓから分の範囲の時間尺度で起こる。この特別な状態への変化、それぞれ（respectively）移行の確率、およびこの特別な状態から再生の確率の双方は、適切な光および／または化学環境（例えばｐＨ値）の変動による照明によって強く影響され、それぞれ（respectively）制御され得る。本発明の一態様によれば、この３つの識別できる状態（可逆的に退色した状態、蛍光状態および不可逆的に退色した状態）間の移行を蛍光局在化顕微鏡法の目的で利用する。別の態様によれば、この２つの状態（蛍光状態および可逆的に退色した状態）間の移行を蛍光局在化顕微鏡法の目的で利用する。
【００５４】
効率的に実行するために、可逆的な退色の移行確率を操作、それぞれ（respectively）制御することができ、その結果この移行は、不可逆的に退色した状態への移行よりも大幅により確実なものなる。対象物がその蛍光を消失して（比較的、極めて長寿命の可逆的に退色した状態への移行）、低バックグラウンドが取得される。可逆的に退色した状態に由来する分子は、適切に調整された（通常は高い）レーザ強度で読み取られて、不可逆的に退色した状態に転換され、それぞれ（respectively）変換される。これは、情報取得センサ（通常は、ＣＣＤチップ、それぞれ（respectively）カメラ）の一積分時間フレーム内、それぞれ（respectively）時間窓（time-window）内で、回折限界体積あたりの１分子の臨界密度を越えないことを裏付けている。このようにして、単一シグナルの所定時間、それぞれ（respectively）一時的分離を達成することができ、これによって局在化顕微鏡の方法を効率的に適用することが可能になる。
【００５５】
可逆的に退色した状態に移行する確率が、不可逆的に退色した状態に移行する確率よりも高くなるように、この方法はさらに、１つまたは複数の対象物を標識するステップを含むこともある。可逆的に退色した状態に移行する確率は、例えば、環境のｐＨ値によって影響されることもある。したがって、１つまたは複数の対象物の標識化は、環境のｐＨ値を制御することを含むこともある。
【００５６】
可逆的退色の存在下で、蛍光分子の諸状態を説明する可能な一方法は、以下の通りである。
【００５７】
ある分子の３つの基本的な状態間の機能的結合は、移行によって説明することができる。
【数１】
2011514532.tif 000003
式中、
Ｍrb1は、分子の可逆的に退色した状態であり、
Ｍflは、分子の蛍光状態であり、
Ｍiblは、分子の不可逆的に退色した状態である。
【００５８】
交差プロセスが一次反応であると想定される場合、該交差プロセスの速度定数は、ｋi（ｉ＝１、２、３）で示す。可逆的退色の確率と不可逆的退色の確率間の比率Ｐrbl／Ｐiblは、その環境のためおよび／または適切な波長を有する照明光のために、分子の生理化学的修飾によって著しく影響されることがある（「生理化学的に修飾されたフルオロフォア」）。
【００５９】
蛍光分子（Ｍfl）を励起光で照明し始めると、一定量（Ｐrblに依存して）が瞬時に退色する。
【数２】
2011514532.tif 000004
別の量が可逆的暗状態に移行する。
【数３】
2011514532.tif 000005
高強度を有する光での照明による、蛍光状態と可逆的に退色した状態との間の移行を用いて、サブ分解能測定において光学的分離を達成することができる。
【００６０】
それに加えて、単一蛍光分子の登録（registration）に十分な遅延時間で、蛍光分子の可逆的に退色した状態（Ｍrbl）からの統計的回復（「明スペクトルシグネチャ」）および「暗」スペクトルシグネチャの不可逆的に退色した状態（Ｍibl）への移行は、その時間領域で単一分子の光学的分離のさらなる可能性を可能にするであろうと、本発明の著者らは予想した。これは、所定の観察体積内で複数の蛍光分子（同一の種類であっても）の数および位置についての高分解能ＳＰＤＭ／ＳＡＬＭ検出への新たなアプローチを提示することになる。
【００６１】
効率的なサブ分解能局在化を実現するために、検出器の積分時間内で、「明」スペクトルシグネチャ（Ｍfl）を有する分子の密度は、統計的に回折限界観察体積あたり１蛍光分子よりも高くないという状態を備えていなければならない。さらに、局在化顕微鏡法において、多数の分子についての高分解ＳＰＤＭ／ＳＡＬＭ画像で必要とされることがある最高数千フレームの単一画像のため、取得時間は極めて重要な要素であるので、速い回復速度および退色速度を実現することが望ましい。この点で、約１ｋＷ／ｃｍ2から約１ＭＷ／ｃｍ2（蛍光顕微鏡法において以前には使用されていない、それぞれ（respectively）回避されていた強度範囲）の範囲で強度を有する光は、読取時間および退色時間を加速させる。
【００６２】
１つまたは複数の蛍光標識は、以下の群から１つまたは複数選択されてもよい。
−緑色蛍光タンパク質（ＧＦＰ）およびその誘導体および／または修飾体、例えば、緑色蛍光タンパク質（ＧＦＰ）、黄色蛍光タンパク質（ＹＦＰ）、シアン蛍光タンパク質（ＣＦＰ）、オレンジ蛍光タンパク質（ＯＦＰ）、高感度緑色蛍光タンパク質（ｅＧＦＰ）、修飾ＧＦＰ（ｅｍＧＦＰ）、高感度黄色蛍光タンパク質（ｅＹＦＰ）、
−単量体赤色蛍光タンパク質（ｍＲＦＰ）およびその誘導体および／または修飾誘導体、例えばｍＣｈｅｒｒｙ、および／または
−ローダミン誘導体、例えば、Ａｌｅｘａ色素および／またはＡｔｔｏ色素、および／または
−クマリン誘導体、および／または
−キサンテン誘導体、例えば、フルオレセイン、および／または
−シアニン誘導体。
【００６３】
具体的には、これらの１つまたは複数の蛍光標識は、蛍光タンパク質およびそれらの誘導体、例えばシアン蛍光タンパク質（ＣＦＰ）、緑色蛍光タンパク質（ＧＦＰ）、黄色蛍光タンパク質（ＹＦＰ）、高感度オレンジ蛍光タンパク質（ＯＦＰ）、高感度緑色蛍光タンパク質（ｅＧＦＰ）、修飾緑色蛍光タンパク質（ｅｍＧＦＰ）、高感度黄色蛍光タンパク質（ｅＹＦＰ）および／または単量体赤色蛍光タンパク質（ｍＲＦＰ）およびその誘導体および／または修飾誘導体、例えばｍＣｈｅｒｒｙを含むこともある。
【００６４】
局在化顕微鏡法の精度に影響を及ぼすさらに重要な要素は、使用する蛍光標識それ自体である。蛍光タンパク質は、観察すべきタンパク質と共発現する、したがってその構造に直接的に付着するのに対して、他のすべての蛍光分子は、特異的結合分子（例えば抗体または抗原）を介して、または他の化学的手法もしくはプロセスを介してその分子構造に連結または結合しなければならない。観察下の構造に対してシグナルを発光する分子の相対的位置は、多少のぼけまたは不明瞭さによって乱されるので、通常、より大きい距離にわたるこの連結、それぞれ（respectively）結合は、達成可能な局在化精度を大幅に限定することが多い。さらに、所望の領域での結合は、他の位置でよりも単純に起こり得るので、非特異的結合は、重大な問題を起こすこともある。十分に強いシグナルを得るために、実際に必要に応じて著しく多い蛍光分子を、観察下の試料に導入することもできる。観察すべき対象物が、内部構造（例えば細胞内）に関連するとき、処理する必要がある非常に強いバックグラウンドを引き起こす。この問題を克服することは、局在化顕微鏡法の最も重要な目的の１つである。
【００６５】
最良の結果を得るために、蛍光タンパク質または他の構造的に近接する分子を標識として使用することができる。基底状態で蛍光を示さない新しい、遺伝子組換えタンパク質は、順次、例えば光化学的に活性化されかつ局在化されることができ、その結果、標識した構造の点ごとの再構成が可能になる。これらの特別に修飾されたタンパク質は、観察されるべき生物に、それぞれ（respectively）対象物に、分子遺伝学的技法を介して導入されなければならない。この技法は、特に真核細胞の場合、厄介で費用のかかる複雑なプロセスになることがある。
【００６６】
他方では、遺伝子組換えされていない従来の蛍光タンパク質は、前世紀の６０年代以降知られている。このタンパク質は多種多様な利用に成功しており、かつ安定に発現した細胞株で市販されていることが多い。しかし、それらの蛍光特性を局在化顕微鏡法で利用することは、現在まで考えられなかった。
【００６７】
約１ｋＷ／ｃｍ2から１ＭＷ／ｃｍ2の範囲の強度を有する照明光を利用することで、サブ分解能蛍光局在化顕微鏡法の目的で蛍光標識として、従来の非遺伝子組換え蛍光標識（例えば蛍光タンパク質およびそれらの誘導体、例えばＣＦＰ、ＧＦＰ、ＹＦＰ、ｅＹＦＰ、ｍＲＦＰ等）の利用が可能になったことは、驚くべきことである。
【００６８】
これらの蛍光標識は、約１ｋＷ／ｃｍ2から１ＭＷ／ｃｍ2の範囲の強度を有する照明光で照明されるとき、可逆的に光退色する能力がある。
【００６９】
具体的には、約１ｋＷ／ｃｍ2から１ＭＷ／ｃｍ2の範囲の強度を有する照明光で照明されるとき、従来の蛍光標識、それぞれ（respectively）色素（例えば従来の蛍光タンパク質）が可逆的光退色の効果を示すことが発見された。この効果を一態様により局在化顕微鏡法で利用することができる。すでに上述したように、この効果は、ｐＨ依存性であり、かつ１０から１００秒の時間尺度で現れる。このことにより、レーザ照射下で修飾されることが可能である。
【００７０】
約１ｋＷ／ｃｍ2から１ＭＷ／ｃｍ2の範囲の強度を有する照明光を利用し活用して、従来の蛍光色素および特に従来の蛍光タンパク質を利用することが、それらの特別に修飾された類縁体を最適に活性化することと同様に可能になる。したがって、本発明の一態様によるこの方法を活用して、確立された安定な標識および数千の有用なスライドプレパラートもしくは標本をナノメートルの範囲で解析することができる。さらに、いわゆる「スマートプローブ」等の新しい蛍光マーカーを上述の方法で利用することができる。これらのマーカーは、指定された構造に結合しかつ、構造変化した場合、活性化される。結合せずかつ洗い流されずに残存しているすべての分子は、したがって適用される広視野技法および局在化顕微鏡法の両方の場合に不可視のままである。したがって、従来の方法において存在する邪魔なバックグラウンドを実質的に排除できることが主要な利点である。さらに、細胞構造だけを再構成できる。
【００７１】
一態様において、前述の１つまたは複数の蛍光標識は、例えば非タンパク質用のＡｔｔｏ色素を含んでもよい。
【００７２】
さらに一態様において、前述の１つまたは複数の蛍光標識は、非タンパク質をベースにした蛍光標識、具体的には、ローダミン誘導体、例えばＡｌｅｘａ４８８、Ａｌｅｘａ５６８および／またはＡｌｅｘａ５９６等の誘導体を含んでもよい。
【００７３】
さらにさらなる態様において、前述の１つまたは複数の蛍光標識は、キサンタン誘導体（例えばフルオレセインおよびその誘導体）ならびに／またはシアニン誘導体を含んでもよい。
【００７４】
具体的には、可逆的光退色の効果は、非タンパク質ベースの蛍光標識、例えばフルオレセイン誘導体（例えば、Ａｌｅｘａ４８８、Ａｌｅｘａ５６８および／または  Ａｌｅｘａ５９６）でも示されることが見出されている。
【００７５】
上記に示したように、他のタンパク質または非タンパク質をベースにした蛍光標識も効率的に利用することができる。
【００７６】
したがって、以下において、励起活性化のこのファミリーのいずれの蛍光標識（すなわちタンパク質ベースおよび非タンパク質ベースの両蛍光標識）においても、可逆的光退色するフルオロフォアを、以下において、物理的に修飾可能なフルオロフォア（ＰＨＹＭＯＤ−フルオロフォア）と呼ぶこととする。
【００７７】
使用する蛍光局在化顕微鏡は、光学的な照明光路の遠視野設定（far field set-up）を有することもあり、具体的には、蛍光局在化顕微鏡は、光学的な照明光路の共焦点設定（confocal set-up）、光学的な照明光路の広視野設定（wide field set-up）、４Ｐｉ設定（set-up）、ＳＴＥＤ設定（set-up）またはＳＴＥＤ−４Ｐｉ設定（set-up）を有してもよい。検出経路は、広視野配置または設定を有してもよい。具体的には、情報取得センサは、観察領域の二次元画像を得ることができる二次元センサアレイであってもよい。
【００７８】
上述のように、高強度を有する光で蛍光標識した対象物の照明およびそれに続く蛍光の検出の原理は、照明光路の種々の光学設定を使用する顕微鏡観察に適用することもできる。
【００７９】
具体的には、わずかな変更を導入することによって、既存する従来の共焦点顕微鏡を、例えばナノメートルの範囲でのサブ分解能測定等のサブ分解能測定に適応させることも可能である。わずかな変更とは、例えば、追加のレンズの導入および／または画像取得のために二次元センサアレイ（例えばＣＣＤカメラ）の使用および／または光線の位置決めおよび／もしくは集光を制御するソフトウェアの些細な変更であってもよい。例えば、目的領域外で観察を行うために、共焦点照明を二光子方法で使用してもよい。
【００８０】
光学的な照明光路の共焦点設定による顕微鏡において、約２００ｎｍ（例えば回折限界の集光の場合等）から約１μｍ（例えばわずかな脱集光等）の直径を有する小目的領域を、通常、約１ｋＷ／ｃｍ2から約１ＭＷ／ｃｍ2の範囲の強度を有する照明光（通常レーザ光線）で照明することもできる。蛍光標識した対象物から放出される蛍光を、二次元画像センサ（例えばＣＣＤカメラ）によって検出することもできる。次いで、例えば以下にさらに詳細に記述するアルゴリズム等の適切な画像処理アルゴリズムを用いることで蛍光発光の中心部を局在化することもできる。所定の目的領域で測定（例えばＳＰＤＭ測定）を完了した後、その照明光を別の目的領域に向けて照射し、該測定を繰り返すこともできる。対象物全体を走査するまで上記の手順を繰り返してよい。
【００８１】
広視野照明と比較すると、光学的な照明光路の共焦点設定を有する顕微鏡において照明される目的領域をかなり小さくすることができる。例えば、共焦点照明設定を有する顕微鏡において、その焦点は、広視野照明設定を有する顕微鏡で通常照明される最高約１００×１００μｍ2の面と比較すると、約０．１μｍ2（すなわち約０．３μｍ×０．３μｍ）の面である。このように、光学的な照明光路の共焦点設定を有する顕微鏡において、所要の高強度光で目的領域を照明することが必要な出力レーザパワーは通常、光学的な照明光路の広視野設定を有する顕微鏡の目的領域の照明に必要な出力レーザパワーよりも桁違いに少なくなることが可能である。
【００８２】
したがって、光学的な照明光路の共焦点設定を有する顕微鏡において、照明のために比較的低い出力レーザを有するレーザを使用することが可能である。さらに、広視野照明下で対象物を蛍光標識するために、容易には励起しない色素を使用することも可能である。さらに、共焦点顕微鏡では選択した小さい面積だけを一度に照明するので、照明光の所定の強度Ｉで測定される対象物（例えば細胞）によって吸収される総エネルギーＥtotは、広視野照明の場合に吸収される総エネルギーに満たない。これは、以下の例によって説明することができる。
【００８３】
この総エネルギーは、以下の式によって算出することができる。
Ｅtot＝ｋ＊Ｉ＊Ｓ＊ｔ，
ここで、ｋ≦１は、定数であり、吸収を表し、
Ｉは、照明光の強度であり、
Ｓは、照明される表面積であり、
ｔは、照明時間である。
【００８４】
広視野照明の場合、照明される表面積は、例えば約１０×１０μｍ2にすることができる。測定される対象物によって吸収される総エネルギーは、したがって、
Ｅtot≒ｋ＊Ｉ＊１００＊ｔ＝Ｉ＊ｔ＊１００  エネルギー単位
である。
【００８５】
共焦点照明の場合、照明される表面積は約０，１μｍ2にすることができる。総照明時間に１０を掛けるように、選択するクラスターの数を１０にしてもよい。測定される対象物によって吸収される総エネルギーは、したがって、
Ｅtot≒Ｉ＊０．１＊１０＊ｔ＝Ｉ＊ｔ＊１  エネルギー単位
である。
【００８６】
換言すれば、共焦点照明の場合、総吸収エネルギーは、広域照明、それぞれ（respectively）広視野照明の場合よりも大幅に少ない。さらに、エネルギーは長時間にわたり吸収される。これは、光子によって引き起こされる損傷（例えばｉｎ  ｖｉｖｏ測定の場合）を最小限に抑える点から見て重要になることがある。
【００８７】
光学的な照明光路の共焦点設定を有する顕微鏡は、例えば、単一細胞内での選択したタンパク質複合体クラスター（膜タンパク質クラスター、核膜孔複合体等）の測定に適用することもできる。この選択は、例えば従来の落射型蛍光顕微鏡法または共焦点走査型レーザ顕微鏡法によって行うことができる。
【００８８】
使用する蛍光局在化顕微鏡は、点像分布関数エンジニアリングおよび構造化／パターン化照明スキームの他の種々のモードを有してもよい。この場合、上述の局在化顕微鏡方法との組み(合わせは、検出時間、それぞれ（respectively）記録時間をかなり短縮する結果をもたらすことができる。
【００８９】
具体的には、広視野光学的設定の可能な一実現例としては、１つの共通光軸をもつ２つの対物レンズを含んでもよく、該２つの対物レンズは、定在波場が逆方向に進行する２本の平行ビームの干渉によって光軸に沿って形成されるように配置され、該ビームは該２つの対物レンズの後焦点面に集光する。観察すべき試料を定在波場内に配置する。この光学的設定により、構造化照明光、具体的には、以下にさらに詳細に記述する空間的に変調した照明光を使用するさらなる広視野方法との効率的な統合が可能になる。
【００９０】
広視野光学設定による二次元情報取得センサは、広視野顕微鏡の光軸に通常、垂直である（ｘ，ｙ）対象物面内の照明される目的領域の二次元画像を各時間段階で取得することができる。したがって、蛍光標識された１つまたは複数の対象物の空間位置についての横方向の空間情報、および／またはそれらのサイズ、および／または（ｘ，ｙ）平面におけるそれら対象物間の距離を得ることができる。
【００９１】
使用される照明光、それぞれ（respectively）光学的放射は単色であってもよい。したがって、全測定のプロセス、それぞれ（respectively）解析プロセスのために１つの単一波長を用いることが可能である。それによって局在化顕微鏡法は、約１ｋＷ／ｃｍ2から１ＭＷ／ｃｍ2の強度範囲内で行われる。この顕微鏡法は、局在化顕微鏡法だけを使用し、かつ色素分子の活性化、励起および非活性化のために少なくとも２つの波長を使用する従来のシステムに対して経済的および技術的な優位性をもたらすことになる。したがって、変えなければならないパラメータの数は、少なくとも半分に減らすことができる。当然ながら、２つ以上の波長の使用も本発明によるものである。例えば、複数種類の分子の局在化を目標にする場合、これは有利になり得る。
【００９２】
あるいは、複数の異なる種類の蛍光標識を使用することもでき、かつ蛍光局在化顕微鏡法を使用することによって目的領域内の１つまたは複数の対象物の局在化画像データを取得するステップを、約１ｋＷ／ｃｍ2から約１ＭＷ／ｃｍ2の範囲内から選択した光強度を有する照明光を用いることによって、各蛍光標識に対して別々に行うこともできる。
【００９３】
これによって最良精度の局在化および最大数の局在化蛍光分子を達成することが可能になる。具体的には、約１ｋＷ／ｃｍ2から１ＭＷ／ｃｍ2の強度範囲内で分子特異的な光学照明を決定することによって、この局在化精度および局在分子の数、ならびにしたがって再構成を最適化することが可能になる。局在化精度および局在分子の数は、同時には最大化することができないことが多いので、妥協することが必要になることもある。
【００９４】
いくつかのコンピュータ実行アルゴリズムを利用して、取得した一連の画像から空間データを抽出することもできる。したがって、例えばＧａｕｓｓｉａｎモデル関数（任意のバックグラウンド除去法も場合により考慮にいれて）を、得た未加工局在化画像データまたは前処理した局在化画像データにフィッティングすることもできる。別の例としては、分析的に算出した点像分布関数を用いることで、Ｌｅｖｅｎｂｅｒｇ  Ｍａｒｑｕａｒｄアルゴリズムに基づいて非線形フィッティングを行うことがある。後者の方法によって、さらに局在化精度の推定を得ることができる。
【００９５】
一態様によれば、取得した局在化画像データを処理するステップは、下記モデル関数ｆ（ｘ，ｙ）を、時系列の各二次元画像における単一蛍光分子から取得した蛍光発光分布にフィッティングすることを含む。
【数４】
2011514532.tif 000006
式中、
ｘおよびｙは、顕微鏡の光軸に垂直な対象物面における直交座標であり、
ｘ0およびｙ0は、セグメント化されたシグナルの中心として決定される、位置の開始パラメータであり、
Ａは、前述の分布の振幅であり、
Ｂ0、Ｂ1、Ｂ2は、線形バックグラウンドを表すパラメータである。
【００９６】
フィッティングステップを実行する前に、取得した画像の時系列で、各２つの続く画像に分割することによって、蛍光分子からの個々の蛍光シグナルを、取得した一連の画像に沿って検出することができる。これにより、局所強度差の検出が可能になり、かつバックグラウンドノイズの除去を容易にする。次いで、このフィッティングは、バックグラウンド除去を考慮に入れる。
【００９７】
局在化画像データの全時系列を通して蛍光分子の位置を登録した後、検出したすべての点を、１つの「マージ」画像に、具体的には１つのマージ二次元画像に割り当てることができる。位置および／または距離の測定は、局在化精度を考慮に入れて、これらの再構成された点間の重心距離から得ることができる。これらの再構成された点は、通常、それぞれの蛍光分子の平均局在化精度に等しい標準偏差でＧａｕｓｓｉａｎ強度分布によって広がる。
【００９８】
別の態様によれば、検出されるシグナル（すなわち検出される画像データ）を、その特性構成成分、それぞれベクトル（例えばフーリエ変換または他の変換を用いて）に分解できる。各構成成分、それぞれ（respectively）ベクトルの寄与を決定するために、画像データは対応するベクトルと相互相関させることができる。次いで、セグメント化ステップのために、有意な振幅を有するサンプリングされたデータ（すなわちピクセル）だけを考慮することが可能である。異なるベクトルの線形結合を用いて、検出されたシグナルの様々な分類を行うことが可能になる。
【００９９】
さらなる態様によれば、局在化画像データを取得するステップにおいて、目的領域内の１つまたは複数の対象物は、構造化照明光によって照明される。
【０１００】
構造化照明光は、適切に空間的に構造化した、それぞれ（respectively）パターン化した照明光、具体的には、（ｘ，ｙ）対象物面（すなわち局在化顕微鏡の光軸に垂直な平面）で、適切に空間的に構造化または変調されている照明光であってもよい。照明の対象物（対象物走査）または位相（位相走査）のいずれかは、検出された２つの画像フレーム間で、すなわち２つの画像取得間で移動させることができる。両技法を組み合わせることも可能である。
【０１０１】
独国特許出願公開第１９８３０５９６．６号明細書、特願２０００-５０２４０６号、ＵＳ０９４６２４３５、国際出願番号ＰＣＴ／ＥＰ０２／１１３４３号および国際公開第２００６／１２７６９２号Ａ２パンフレットに開示されるように、構造化照明を局在化顕微鏡法でも使用すれば、局在化精度をさらに上げることが可能である。それによって照明は、シグナルを取得している間に同じ状態を保つことができる。蛍光分子は、むしろ、より高い強度を有する領域に位置されるので、検出された単一分子の潜在的な位置についての追加情報が得られるという事実を利用する。
【０１０２】
一態様によれば、少なくとも１つの色素分子の励起の間に移動する（空間的に）構造化された、それぞれ変調された照明を用いることができる。この場合、この変調の位相は、蛍光分子から検出されるシグナルで再構成される。これは、少なくとも１つの蛍光基準点と相対的なシグナルと関連する少なくとも１つの分子の位置の決定が、これらの条件下で、最大精度で決定されることを可能にする。
【０１０３】
シグナルを取得している間に構造化照明が移動する一利点は、単一分子がこのような状態下で、最大精度で局在化されることである。それによって利用されるのは、互いに対してまたはさらなる標識化に関して蛍光分子の相対的な位置を、得られる位相情報から決定できるということである。位相を決定することができる精度は、１桁のナノメートル範囲内である。この精度は、このような状態下で従来の達成可能な局在化精度とは約１０倍異なる。
【０１０４】
種々のＳＰＤＭ／ＳＡＬＭ方法において単一分子の、横方向（ｘ，ｙ）（すなわち光軸に垂直な対象物面において）の局在化の実行は成功するが、光軸（ｚ）に沿った局在化は、取り組みがいがあることが判明している。標識した対象物の三次元再構成（すなわち、蛍光標識した分子のｘ，ｙ，ｚ座標）を得るために、種々のアプローチを用いることが可能である。可能な１つの解決策は、共焦点走査型レーザまたは共焦点走査型レーザ４Ｐｉ顕微鏡法を用いて、対象物の三次元位置を得ることである。
【０１０５】
別の可能性は、横方向に取得したシグナル範囲の三次元情報を用いることである。すべての光を放出する（すなわち蛍光）分子は、「点状」である（すなわち、照明光の波長よりも大幅に小さいサイズを有する）ので、それらの分子すべては同じ方法で画像化される（使用する条件下で、１ｎｍ範囲で収差を生成するので、これらの分子の空間定位効果を無視する）ことが想定される。
【０１０６】
焦点外の対象物はよりぼやけたように見え、かつ点像分布関数（ＰＳＦ）は光軸に沿って対称的でないという事実を用いて、すべての空間次元において光子を放出する源を局在化することができる。電磁波の伝播路がよく分っている場合、その他の理想的な登録条件下で、軸方向（すなわち、光軸に沿って）のの局在化の精度は、横方向（すなわち、対象物面（ｘ，ｙ））の局在化と同様に、検出される光子数によってのみ規定される。一般的な光活性化可能なフルオロフォアまたは光切替え可能なフルオロフォアを、二平面検出または系統的に変更されたＰＳＦと組み合わせて用いることで、約６０から８０ｎｍ  ＦＷＨＭの三次元局在化精度が達成できる。
【０１０７】
一態様によれば、空間的構造化照明または空間的変調照明を使用して、局在化顕微鏡法測定が、遠視野顕微鏡測定、それぞれ（respectively）広視野顕微鏡測定と組み合わせられる。
【０１０８】
したがって、一態様においてこの方法は、前記顕微鏡の光軸に沿って(along an optical axis)、空間的に構造化された（structured）、それぞれ変調された（modulated）照明光を用いる広視野蛍光顕微鏡法を使用することによって、前記目的領域の一連の広視野画像を含む追加の広視野画像データを取得するステップをさらに含み、前記取得する追加の広視野画像データが、
−前記目的領域における前記１つまたは複数の対象物を前記構造化照明光で照明するステップと、
−前記１つまたは複数の蛍光標識の前記蛍光分子から放出される前記蛍光の広視野画像を検出するステップと、
−前記対象物および／または前記構造化照明光を前記光軸に沿って別々のステップで（in discrete steps）移動させ、各ステップで前記蛍光分子から放出される前記蛍光の広視野画像を検出し、それによって前記目的領域の前記一連の広視野画像を得るステップと、によって得られ、
前記１つまたは複数の対象物の追加の広視野画像データを取得する前記ステップが、前記局在化画像データを取得する取得ステップの前に実行される。
【０１０９】
この方法は、前記試料中の少なくとも１つの蛍光標識された対象物の光軸に沿った空間的広がりについての情報を含む追加の空間情報、および／または前記単一蛍光分子の前記光軸方向において検出された蛍光発光分布の重心の位置についての追加の空間情報を得るために、前記取得した追加の広視野画像データを処理するステップさらに含むことができる。前記局在化顕微鏡法によって得た前記局在化情報は、構造化照明光を用いる前記広視野蛍光顕微鏡法によって得られた前記追加の空間情報とを組み合わせることができる。
【０１１０】
上記アプローチの利点の一つは、局在化顕微鏡観察のそれ以外では同じ条件で光軸に沿った局在化精度または精度の限界を克服することが可能であることである。構造照明の技術、それぞれ（respectively）種類に依存して、数ナノメートルまでの精度で、構造化照明において強度の最高値間の距離よりもさらに小さい広がり、それぞれ（respectively）サイズを示す、蛍光標識した対象物の構造のサイズを決定することが可能である。同じことが、標識の中心、それぞれ（respectively）重心位置にもあてはまる。局在化顕微鏡法を用いて、極めて小さい構造体を主に目的とするので、横方向検出およびシグナルの局在化の後に、どの「深度」（標識の重心）に分子が位置しているはずであるか、およびどの精度で分子の位置が決定されたか（対象物の広がり）が直ちに分かる。このようにして、光子収率が極めて低くても、軸方向に４０ｎｍ未満、および横方向に１０ｎｍ未満（標準偏差約４ｎｍ）の絶対精度（標準偏差なし）で三次元単一分子局在化を行うことが可能になる。
【０１１１】
別の利点は、常に多数の分子が同時にシグナルに寄与するので、空間的構造化照明光を用いることで、局在化顕微鏡法および広視野蛍光顕微鏡法の両方を使用する組み合わせ法により、標識化で用いる単一蛍光分子の光子系統に依存することが大幅に少なくなることである。本発明の一態様による組み合わせ法は、従来の方法と比較して、軸方向局在化精度を３０倍上げることが可能である。
【０１１２】
照明光は、いくつかの異なる方法で、空間的に構造化されても、それぞれ（respectively）パターン化されてもよい。具体的には、構造化照明光は、使用する（広視野）顕微鏡の少なくとも光軸に沿って空間的に構造化または変調された照明光であってもよい。光軸に沿って空間的に構造化されるこの照明光の例としては、例えば、２つの逆方向に進行するレーザ光の干渉によって形成される定在波場がある。これは、例えば、同じレーザ光源から放出される２本の光線を２つの対向する高開口数対物レンズの後焦点面に集光させることによって達成することができる。定在波場に、それぞれ（respectively）構造化照明面に位置する蛍光標識した対象物、それぞれ（respectively）対象物構造は、それらの位置によって励起される。関連した画像データは、静的構造化照明において対象物を移動させる（対象物走査）ことによって、対象物を静止した状態に保ちつつ構造化照明を移動させる（位相走査）ことによって、またはこれらの両方法を組み合わせることによってのいずれかで得ることができる。試料中の少なくとも１つの蛍光標識した対象物の光軸に沿った空間的広がりおよび／または単一蛍光分子を光軸方向で検出した蛍光発光分布の重心の位置についての付加的な空間情報に関する情報は、光軸に沿った強度プロファイルから得ることができる。
【０１１３】
一態様によれば、対象物の広視野観察、それぞれ（respectively）測定は、事前に行うことができる。これにより、局在化顕微鏡法で対象物を再構成する前に、対象物自体についてのいくらかの重要な結論または断定を行うことが可能になる。したがって、例えば、標識化がいかに良く行われたかを前もって推定することが可能になる。例えばカレント（current）プロセスまたはフロープロセス等の構造における、生の（crude）変化または比較的大きな変化を、ｉｎ  ｖｉｖｏで測定することができる。
【０１１４】
一態様によるデータの検出、それぞれ収集は、５分未満で行うことができる。これは、最高数時間を必要とする代替方法と比較すると、最高１００倍もの違いを表す。これは、生物系のｉｎ  ｖｉｖｏ観察にとって特に有利である。したがって、要求の多い、複雑な技術的解決法を回避することが可能になる。これによって、ドリフト問題に対抗するもしくは該問題を軽減することができる、または観察する試料の生命の維持を提供することができる。一方、提案する方法を用いると、最小構造に関しても重要なｉｎ  ｖｉｖｏ観察も行うことが可能になる。
【０１１５】
構造化照明光を用いる広視野測定を、具体的には、顕微鏡システムの光軸に沿って空間的に変調した照明光を、１ｋＷ／ｃｍ2未満の光強度で照射することによって行うことができる。
【０１１６】
得られるデータの処理は、以下を含んでもよい。
−前記１つまたは複数の対象物内で検出されるすべてのシグナルのために、共通理論的三次元モデル関数を生成するステップであって、前記三次元モデル関数が光軸に沿って複数の二次元層に分割される、共通理論的三次元モデル関数を生成するステップと、
−前記取得された三次元画像データおよび前記三次元モデル関数の横方向（lateral）相互相関を行うステップであって、前記相関関数の最大値が１つの対象物の識別と１つの三次元局在化とを表す、横方向相互相関を行うステップ。
【０１１７】
三次元モデル関数は、例えば、点像分布関数の三次元モデルであってもよい。横方向三次元相関（３つの可能な積分のうちの２つだけを行う）は、確立された数学的原理によって行われることができる。ここで、三次元点像分布関数の各層は各画像層である。したがって、例えば、横方向の最大振幅および軸方向の最大振幅を得ることが可能である。これは、蛍光分子、それぞれ蛍光標識した対象物の横方向位置（高振幅を有するピクセル）および軸方向位置（最大振幅を有する層）の両方についての情報をもたらす。
【０１１８】
三次元モデル関数は、例えば「ｎ」個の二次元層に分割することができる。三次元画像データは、取得した一連の広視野画像から単一の二次元画像の「ｎ」個のコピーを１つの三次元データスタックに組み合わせることによって得られる。同じ操作（すなわち、横方向の相互相関）を、取得した時系列の広視野画像のすべての画像に対して行う。
【０１１９】
共通二次元モデル関数を作成して、取得した一連の広視野画像からの各二次元画像を用いて、このモデル関数の横方向の相互相関を行うことも可能である。
【０１２０】
上述の方法は、蛍光局在化顕微鏡法によって得られる画像データにも適用可能である。具体的には、この相互相関法は、構造化照明を用いずに得られる一連の画像にも適用することができる。この場合、点像分布関数についての体積、それぞれ（respectively）三次元情報は、画像データと局所的に「比較される」。したがって、セグメント化プロセスと局在化プロセスを組み合わせることばかりでなく、Ｌｅｖｅｎｂｅｒｇ−Ｍａｒｑｕａｒｄｔまたは他の改良型最小二乗アルゴリズム等のフィッティングアルゴリズムによるモデル関数の比較的に集中的に計算するフィッティングの手間を省くことが可能になる。具体的には、著しく高い振幅を相互相関の対象物に割り当てる閾値法を適用することによってセグメント化を行ってもよい。各対象物の局在化は、上述のように、セグメント化した領域内の振幅を評価することによって行われる。
【０１２１】
本発明の本態様による再構成法は、具体的には、該方法が色素分子から検出されるすべてのシグナルが単一の小構造内で放出されるという事実を利用することを特徴とする。この場合、環境、それぞれ（respectively）周囲の屈折率における悩まされる差異を無視することができる。それによって、１つの単一三次元モデル関数が作成され、次いで、例えば上述のように取得したデータバッチ、それぞれ（respectively）データスタックと相互相関する。
【０１２２】
結果として生じるスタックにおいて、ある特定の層におけるシグナルとモデル関数の類似点を表す、現れる最大値から、単一分子の識別および同時に対象物または画像空間における各分子の位置の識別を直ちに実行することが可能になる。したがって、例えば、対象物または画像空間における位置についての情報は、最大強度の位置を解析することによって得ることができる。
【０１２３】
閾値法を、得られる相関最大値に適用してもよい。閾値法での蛍光色素分子の対象物識別および三次元局在化を最適化するために、閾値法を用いてもよい。具体的には、閾値解析法を用いて、有意な最大値だけを評価することによって再構成法を最適化することもできる。したがって、再構成の品質管理のためのさらなる方法を得ることができる。
【０１２４】
相互相関（cross-correlation）の代わりに、ウェーブレット相関または同様な方法を用いてもよい。
【０１２５】
この方法は、少なくとも１つの蛍光基準点を活用して行われる、構造化照明の空間較正のステップをさらに含んでもよい。
【０１２６】
さらなる態様によれば、構造化照明の空間較正は、少なくとも１つの蛍光基準点を活用して行われることができる。較正方法および少なくとも１つの蛍光基準点の使用を用いることによって、それを活用して部位、それぞれ位置および定在波場の強度を直接測定して、方向づけることができ、構造化照明の利用を最適化しおよび／または最大精度を有する構造化照明を表すことが可能になる。基準点として、カバースリップのカバーガラス上の弱い蛍光を発する薄層、それぞれ試料標本（sample preparation）、例えばフォトラッカー、それぞれ（respectively）フォトレジストを使用してもよい。
【０１２７】
一態様によれば、構造化照明光を用いる広視野蛍光顕微鏡法によって前記１つまたは複数の対象物の追加の画像データを取得するステップの間において、前記少なくとも１つの蛍光標識の前記蛍光分子の少なくとも一部が活性状態に移行して、対応する広視野観察で使用されるのに対して、前記蛍光分子の第２部分が不活性状態のままであるように、前記１つまたは複数の対象物が前記構造化照明光によって照明される。蛍光局在化顕微鏡法を使用することによる局在化画像データを取得する前記取得ステップの間において、前記蛍光分子の第２部分が、光学的放射の照明光強度を前記約１ｋＷ／ｃｍ2から１ＭＷ／ｃｍ2の範囲内にある強度に変えることによって活性化され、蛍光局在化顕微鏡法を使用することによる局在化画像データを取得する前記取得ステップが、前記蛍光分子の前記第２部分に基づいて行われる。
上述の活性状態は蛍光状態であり得、および上述の不活性状態は非蛍光状態、例えば可逆的に退色した状態または不可逆的に退色した状態であり得る。具体的には、活性状態において、フルオロフォア（または蛍光分子）は、励起によって、所定のスペクトル範囲（画像化システムが検出できる）で特徴のある放射を放出することができる。不活性状態において、フルオロフォアは、任意の検出可能な放出も示さない。不活性状態は、通常、それらの寿命によって「可逆的」および「不可逆的」に分けることができる。
【０１２８】
したがって、広視野観察の目的で蛍光分子の十分な部分を活性化する場合、広視野測定のために不活性蛍光分子を最初に用いることは可能である。広視野観察の目的で蛍光分子の部分的活性化を、例えば第２照明波長で行うことができる。例えば熱活性化等の様々な活性化方法も使用することができる。色素分子の第２部分は、局在化顕微鏡法で次の局在化のために使用される。また、２種類以上の色素、それぞれ（respectively）色素分子を含む多重標識で対象物を標識化することも可能であり、その結果１種類を局在化顕微鏡法での広視野観察のために用い、それに続く単一分子局在化のために他の種類を用いることが可能となる。
【０１２９】
本発明のさらなる態様は、少なくとも１種類の蛍光標識によって標識された試料のサブ分解能空間情報を得るための蛍光局在化顕微鏡であって、前記サブ分解能空間情報は、少なくとも１つの空間方向における、前記少なくとも１種類の蛍光標識の蛍光分子の位置についての局在化情報を含み、前記顕微鏡は、
−光学照明光路を形成する照明光学機器であって、目的領域において、１つまたは複数の対象物を照明するために構成された照明光学機器と、
−前記局在化顕微鏡の前記光学照明光路内に位置する少なくとも１つの追加の光学素子であって、照明光の強度を１ｋＷ／ｃｍ2から１ＭＷ／ｃｍ2の範囲内にある強度に切替えることを可能にするように、および／または１ｋＷ／ｃｍ2から１ＭＷ／ｃｍ2の範囲内の照明光の強度の調整、それぞれ（respectively）制御を可能にするように構成された少なくとも１つの追加の光学素子と、
−光学検出路に位置する少なくとも１つの情報取得センサであって、前記少なくとも１種類の蛍光標識の前記蛍光分子の少なくとも一部によって照明時に放出された蛍光の少なくとも一部を検出するように構成され、それによって、照明された目的領域の画像を得る、少なくとも１つの情報取得センサとを備える。
【０１３０】
すでに上述したように、一態様によれば、１ｋＷ／ｃｍ2から１ＭＷ／ｃｍ2の範囲内の強度を有する照明光による照明によって、蛍光分子の少なくとも一部は、第１の（蛍光）状態から第２の半安定状態（例えば可逆的に退色した状態）に移行する。
【０１３１】
さらなる態様によれば、照明によって、少なくとも１種類の蛍光標識の蛍光分子の少なくとも一部は、第１状態から第２状態に移行し、次いで第１状態に回復した後、第３の持続的な不活性状態（例えば不可逆的に退色した状態）に移行する。
【０１３２】
情報取得センサは、二次元センサ（例えば、ＣＣＤチップまたは他の適切な二次元センサ、それぞれセンサアレイ）であってもよく、取得される画像は目的領域の二次元画像である。したがって、空間情報を二次元で得ることができる。一態様において、得られる画像は、使用する局在化顕微鏡の光軸に実質的に平行な（parallel）対象物面、すなわち該対象物面内の直交座標ｘとｙの（ｘ，ｙ）平面内の画像である。
【０１３３】
この顕微鏡は、情報取得センサによって検出された画像を記憶するための記憶手段（例えばメモリ）をさらに含んでもよい。一態様において、この記憶手段は、試料を照明することと、蛍光分子から放出される蛍光を検出することを繰り返すことによる異なる種類のステップで、情報取得センサで検出される複数の、それぞれ一連の画像を記憶するように構成されている。この一連の画像は、適切なデータ構造で、例えば、複数の二次元画像を含む三次元データスタックで記憶してもよい。
【０１３４】
この顕微鏡は、１つまたは複数の照明源、例えば１つまたは複数のレーザをさらに含んでもよい。一態様において、照明光を、少なくとも１つの空間方向において、具体的には、顕微鏡の光軸に沿って適切に空間的に構造化し、それぞれ変調できる。したがって、この顕微鏡は、少なくとも１つの空間方向において、空間的に構造化する、それぞれ変調する手段をさらに含んでもよい。光軸に沿って適切に空間的に構造化された、それぞれ（respectively）変調された光の例としては、逆方向に進行する２本の光線の干渉によって形成される定在波場、それぞれ（respectively）照明場がある。この定在波場は、例えば、同一の光源から発光された２本のビームが高開口数を有する２つの対向する対物レンズの後焦点面に集光することによって形成されることもある。さらに、比較的低価格の構造化照明は、例えば、複数光線の干渉による1つまたは複数の光学格子によって実現可能である。
【０１３５】
一態様において、極めて低価格のレーザポインタを照明源として使用することもできる。これにより、場合により一部の種類の構造化照明を組み込んだ十分に機能的な広視野局在化顕微鏡装置も比較的低価格で可能になる。高価な特別な対物レンズ、メインフレームまたは大容量コンピュータおよび特別なセンサを使用しなくても、１時間未満の許容できる時間内でのこのシステムの結像能力は、従来得られた顕微鏡システムの結像能力よりも優れていることがある。さらに、最も簡単な場合、ユーザにとって操作（例えばレンズ位置を介しての強度制御）で利用できる唯一の自由度があるという事実は、光学、機械学または電子工学の分野での付加的な知識がなくても、あらゆる人がこの装置を使用できることを保証している。
【０１３６】
局在化顕微鏡は、光学照明光路の共焦点設定、光学照明光路の広視野設定、４Ｐｉ設定、ＳＴＥＤ設定もしくはＳＴＥＤ−４Ｐｉ設定、または点像分布関数工学および構造化／パターン化照明スキームの他のモードを有することができる。検出路は、広視野配置を有してもよい。具体的には、情報取得センサは、観察領域の二次元画像を得る能力がある二次元センサアレイであってもよい。
【０１３７】
一態様によれば、光学的放射、それぞれ（respectively）照明光の強度を、１ｋＷ／ｃｍ2から１ＭＷ／ｃｍ2の強度範囲内にある強度に切替えるおよび／または調整することができるように、従来の広視野照明は、少なくとも１つの適切な光学素子を使用することによって容易に変更することができる。したがって、本発明のいかなる態様による方法も、可能とされ、それぞれ（respectively）容易にされ得る。特定の色素または標識を用いることで、強度間隔またはウインドウを高い値方向にまたは低い値方向に拡張することは有利になり得る。
【０１３８】
少なくとも１つの追加の光学素子は、以下のうちの１つまたは複数を含んでもよい。
−少なくとも１つのレンズまたはレンズ系、
−少なくとも１つのグレーフィルタまたはグレーフィルタ一式、
−少なくとも１つの偏光フィルタ、
−少なくとも１つの音響光学モジュレータ、および／または
−少なくとも１つの電気光学モジュレータ。
【０１３９】
例えば、単一レンズもしくはレンズ系または単一グレーフィルタもしくはグレーフィルタ一式を顕微鏡に実装することは、特に容易である。偏光光源を有する照明の強度を連続的に調整するまたは制御するために、偏光フィルタもしくは偏光フィルタ一式は、便利な代替手段をもたらすことができる。
【０１４０】
音響光学モジュレータまたは電気光学モジュレータは、さらに別の代替手段を表す。同様に、上記の素子の組み合わせ、例えば単一レンズとグレーフィルタ一式の組み合わせを実装することが可能である。
【０１４１】
顕微鏡は、少なくとも１つの追加の光学検出路で使用される少なくとも１つの追加のセンサをさらに含んでもよく、前述の追加のセンサおよび前述の追加の光学検出路は、情報取得センサに達しない蛍光の少なくとも一部を登録（register）するように構成されている。
【０１４２】
少なくとも１つの第２の追加の光学素子を、少なくとも１つの追加の検出路に配置してもよい。
【０１４３】
顕微鏡は、少なくとも１種類の蛍光標識で標識した試料のサブ分解能空間情報を得るために、取得した局在化画像データを処理するように構成された処理ユニットをさらに含んでもよく、前述のサブ分解能空間情報は、少なくとも１種類の蛍光標識の蛍光分子の、少なくとも１つの空間方向での位置についての局在化情報を含む。具体的には、処理ユニットは、検出された一連の画像のそれぞれで、少なくとも１つの空間方向において、１つまたは複数の蛍光標識の単一蛍光分子から検出された蛍光発光分布の重心の位置を決定するように構成されることもできる。
【０１４４】
処理ユニットはさらに、目的領域において１つまたは複数の蛍光標識された対象物に関するサブ分解能空間情報を得るために、少なくとも１種類の蛍光標識の蛍光分子の少なくとも１つの空間方向での位置についての局在化情報を処理するように構成されてもよく、前述のサブ分解能空間情報は、１つまたは複数の対象物の空間位置についておよび／または１つまたは複数の対象物のサイズについておよび／または少なくとも１つの空間方向での対象物間の距離ついての情報を含む。
【０１４５】
一態様によれば、処理ユニットは、下記モデル関数ｆ（ｘ，ｙ）のフィッティングを、時系列の各二次元画像の単一蛍光分子から取得した蛍光発光分布に対して行うように構成されてもよい。
【数５】
2011514532.tif 000007
式中、
ｘおよびｙは、顕微鏡の光軸に垂直な対象物面における直交座標である。
ｘ0およびｙ0は、セグメント化されたシグナルの中心として決定される、位置の開始パラメータである。
Ａは、分布の振幅であり、および
Ｂ0、Ｂ1、Ｂ2は、線形バックグラウンドを表すパラメータである。
【０１４６】
さらなる態様によれば、処理ユニットはさらに、少なくともさらなる一方向において、試料中の少なくとも１つの蛍光標識した対象物のさらなる空間方向に沿った空間的広がりについての情報を含むさらなる空間情報および／または単一蛍光分子から検出された蛍光発光分布の重心の位置についてのさらなる空間情報を得るために、構造化照明光による広視野蛍光顕微鏡法を用いることで得たさらなる広視野画像データを処理するように構成されてもよい。少なくとも１つのさらなる方向は、前述の顕微鏡の光軸に沿うものであってもよい。処理ユニットはさらに、構造化照明光を用いる広視野蛍光顕微鏡法によって得られるさらなる空間情報を用いる局在化顕微鏡法によって得られる局在化情報を組み合わせるように構成されてもよい。
【０１４７】
一態様において、処理ユニットを、
−前記１つまたは複数の対象物内で検出されるすべてのシグナルのために、共通理論的三次元モデル関数を生成するためであって、前記三次元モデル関数が光軸に沿って複数の二次元層に分割される、共通理論的三次元モデル関数を生成するために、および
−前記取得された三次元画像データおよび前記三次元モデル関数の横方向相互相関を行うためであって、前記相関関数の最大値が１つの対象物の識別と１つの三次元局在化とを表す、横方向相互相関を行うために、構成できる。
【０１４８】
処理ユニットはさらに、得られる相関最大値に閾値法を適用するように構成されてもよい。
【０１４９】
処理ユニットは、適切にプログラミングされた汎用プロセシングチップまたは専用ハードウェアを含んでもよい。処理ユニットは、前述の記憶手段に接続され、かつその記憶手段に記憶したデータを読み取るように構成されてもよい。
【０１５０】
本発明のいかなる態様による上記の方法および装置（顕微鏡、それぞれ顕微鏡システム）は、対象物の位置についての正確な決定が可能であり、かつ回折理論の前提となる光学分解能限界を回避する可能性を有する。この回折限界をはるかに下回る構造情報を得るための局在化を用いるために、それらの距離が従来の光学分解能限界よりも低い場合でも、構造の「点状」構成要素を個別に検出する必要がある。
【０１５１】
本発明の一態様によれば、従来のＳＰＤＭ／ＳＡＬＭ概念を、１ｋＷ／ｃｍ2から１ＭＷ／ｃｍ2の範囲（蛍光局在化顕微鏡法では以前は回避された範囲）内の強度照明および３つの蛍光状態間の移行を利用することによって拡張した。この移行は、例えば、蛍光分子、具体的には蛍光タンパク質分子を可逆的に光退色させることによって提示される新規のスペクトルシグネチャを使用して実現化できる。１つの利点は、「従来」の蛍光タンパク質、すなわちＰＡＬＭおよびＦＰＡＬＭの適用で記述した化学修飾なしのタンパク質を、サブ分解能蛍光顕微鏡法の目的でうまく利用できることである。蛍光タンパク質で標識した生物学的標本は最も一般的であるので、そのようなフルオロフォアを使用する本発明の一態様による方法は、ｉｎ  ｖｉｖｏ測定の可能性を含む広範囲の適用を有する。別の利点は、特別な光活性化が可能な蛍光タンパク質だけでなく「従来」の蛍光タンパク質に関して単一分子の横方向（ｘ，ｙ）局在化を１０ｎｍ未満の精度で達成することができることである。
【０１５２】
さらに他の利点は、データ取得時間およびデータ処理時間が短いことである。一例において、９０μｍ×９０μｍまでの対象物面積を記録でき、１００，００を大幅に超える分子を局在化する、標準的なデータ取得速度は約１００秒である。分子局在のデータ処理態様は、現在、数分程度かかっている。最新の高速デュアルコアプロセッサを用いることによって画像を取得している間にオンライン計算を行うことが可能になる。したがって、広く用いられているフルオロフォアと可視光を組み合わせて適用する分子光学分解能でのスループット蛍光画像化が実行できるようになる。
【０１５３】
本発明の別の態様は、軸サイズｄｚおよび／または平均位置ｚ0の決定のための空間変調照明（ＳＭＩ）顕微鏡法技法と組み合わせる本技法（すなわち、ＳＰＤＭ／ＳＡＬＭ横方向（ｘ，ｙ）局在化顕微鏡法）に関する。この新規の技法は、励起波長の約１／２５thから１／１０thに相当する、横方向で約２０ｎｍおよび軸方向で５０ｎｍの単一分子の効果的な３Ｄ光学分解能（ｘ，ｙ，ｚ）によってナノ構造、具体的には生物学的ナノ構造の高速三次元（３Ｄ）画像化を可能にする。ＳＰＤＭ／ＳＭＩを組み合わせた３Ｄ画像化アプローチを適用するために、標識対象物についての一部の先験的情報が必要とされることもある。しかし、解析すべき大部分のナノ構造、具体的には大部分の生物学的ナノ構造は、この条件を満たすことができる。
【０１５４】
ＳＰＤＭ／ＳＭＩの組み合わせ拡張型技法を適用する一例は、小細胞突出の３Ｄ細胞構造を、膜関連タンパク質を用いることによって解明することである。一例において、直径約５０ｎｍのこのような突出の棒状３Ｄ構造が、広視野蛍光顕微鏡法アプローチを用いることで、最初に解明された。このほぼ超微細構造的な３Ｄ分解能は、従来の共焦点走査型レーザ
顕微鏡法で得ることはほとんど不可能である。
【０１５５】
達成可能な効果的三次元（３Ｄ）光学分解能を横方向に約２０ｎｍおよび軸方向に５０ｎｍ上げる（およびより高く）ことができるので、細胞ナノ構造の構造的解明において多数の適用が実行可能になる。この適用の種々の例としては、遺伝学的に活性状態および不活性状態にある個々の遺伝子領域、環境的に誘発されたクロマチンナノ構造の変化、複製ファクトリーおよび修復複合体のサイズおよび核分布、核膜孔複合体分布、ポリリボソームの配置、細胞膜上のイオンチャネルの分布等がある。別の重要な適用は、例えば細胞膜上で単一分子をまたはＲＮＡ転写物を数える可能性にある。今までのところＳＰＤＭ手順は、標識した全分子の一部だけを登録することが可能であるが、得られる数は、最小絶対数である。例えば、２０ｘ２０ｙ２＝８００μｍ2の細胞膜（上側と下側の両方を含む）における１００，０００個のタンパク質のＳＰＤＭカウントは、１２５個のタンパク質／μｍ2または９０ｎｍ×９０ｎｍで１個のタンパク質の最小平均絶対値の膜密度になるであろう。さらに、高分子範囲での分解能レベルで、分子分布の均一性を評価することが可能である。「基礎分子生物物理学」から、細胞膜を横切っての医薬化合物輸送の効率まで、この分子計数および分布分析に関して多数の適用が予想することができる。
【０１５６】
光で変換されることが可能な「暗」および「明」スペクトルシグネチャを有する光安定性の高い蛍光色素を用いる場合、ＳＰＤＭ／ＳＭＩ顕微鏡法の観点から３Ｄ効果的分解能のさらなる向上が達成できる。例えば、５，０００から１０，０００個の光子が単一分子から登録できる場合、理想的な他の条件下で、軸方向の局在化精度の向上は、軸方向（ｚ0）局在化精度約１ｎｍまで達成可能である。また、この光子数で横方向局在化精度の向上を１ｎｍまで達成するために、軸方向の構造化照明に加えて横方向構造化照明を用いてもよい。ｘ，ｙ，ｚ局在化におけるこの向上は、２ｎｍ範囲での効果的な光学３Ｄ分解能を可能にし、したがって細胞の内部の高分子複合体の構成成分についてでさえ広視野光の光学的構造解析を可能するのに十分である。可能な適用の一部として、以下がある。すなわち、単一遺伝子の領域、細胞ＤＮＡの倍増に関与する複製ファクトリー、環境的に誘発されたゲノム変化の修復に関与する修復複合体、ゲノムナノ構造の修飾に関連する発現に関与するクロマチンリモデリング／サイレンシング複合体、遺伝コードの「解読」を可能にする転写ファクトリー、転写したＲＮＡをプロセシングするスプライシングファクトリー、細胞核と細胞の残りの部分との間のトラフィックを制御する核膜孔複合体、ＲＮＡをタンパク質に翻訳するリボソーム、タンパク質の分解を制御するプロテアソーム、細胞膜を横切ってイオン輸送を制御するイオンチャネル複合体、組織の形成に関与する細胞間結合複合体。
【０１５７】
したがって、本発明の一態様による拡張型ＳＰＤＭ／ＳＡＬＭ方法、具体的には、ＳＭＩによる本方法とレーザ光学ナノスコピーにおける新規の開発の組み合わせが、同一の細胞構造がほぼ同様（分子レベルまで）の分解能で撮像され得るような方法で、超微細構造的な方法（すなわちｎｍ分解能）と可視光遠視野顕微鏡法（従来の数百ｎｍ分解能）の間の分解能のギャップを最終的に埋めることになることが予想される。この「相関（correlative）顕微鏡法」は、遺伝子の活性化／サイレンシングでのクロマチン繊維の折り畳み構造における変化から、その転写、産生されるｍＲＮＡのプロセシング、核膜孔を介する細胞質への輸送、タンパク質への翻訳、高分子複合体の構築と分解、細胞膜でのシグナル伝達まで、および細胞間相互作用までの個々の細胞レベルでの生命の「メカニズム」への直接的洞察に本質的な寄与を提供することができる。細胞の分子生物物理学へのこれらの刺激的な可能性を越えて、レーザ光学ナノスコピー法も、「生体分子機械」（ＢＭＭ）と単一細胞／単一ＢＭＭのレベルでの医薬品の相互作用の解析のためのさらなる有益な手段を提供することになる。本発明の一態様による拡張型ＳＰＤＭ／ＳＡＬＭ遠視野蛍光顕微鏡法のアプローチは、バイオサイエンスおよび物理学の分野において生物学的構造に関する測定のみならず材料科学においても適用することができる。例えば、表面ナノ構造を特徴付ける必要がありかつ表面分子の蛍光標識化が実行可能であればどこでも、高速光学解析が可能になり、かつこれは高分解能だけでなく、電子顕微鏡法によるさらに時間のかかる測定も補足する。
【０１５８】
本発明の詳細ならびにさらなる特徴、適用および利点は、図１から１０を参照して、以下の実施形態または実施例で述べる。単独でもしくは相互の任意の組み合わせで開示したまたは示したすべての特徴は、それらの後方参照の特許請求の範囲におけるそれらの組み合わせから独立して、ならびに発明の説明または図面におけるそれらの式もしくは表示から独立して、本発明の主題になり得る。
【図面の簡単な説明】
【０１５９】
【図１】構造化広視野照明と、２つの異なる検出光路が実現化するレンズ系とを有する装置の一例を示す。
【図２】本発明の一態様による一方法の説明を示す。
【図３】本発明の一態様による必要最小数の構成部品を有する装置の第２例を示す。
【図４】本発明の一態様による局在化顕微鏡法（ＳＰＤＭ）を使用する顕微鏡構成のさらなる例の模式図である。
【図５】推定２Ｄ局在化精度の度数分布の一例を示す。
【図６】局在した各蛍光タンパク質の最近傍距離の度数分布と、同じ点密度のランダム分布をシミュレートした３通りの同じ解析とを示す。
【図７】本発明の一態様による組み合わせ型ＳＰＤＭ／ＳＭＩ顕微鏡装置のさらに別の例の模式図である。
【図８】所定の蛍光標識した対象物の三次元サブ分解能測定の原理を示す。
【図９ａ】測定したＣａｌ−５１細胞の分子あたりの登録光子数の分布についての対応するヒストグラムを示す。
【図９ｂ】測定したＣａｌ−５１細胞の分子あたりの登録光子数の分布についての対応するヒストグラムを示す。
【図１０】測定したＣａｌ−５１細胞の局在化精度（ｘおよびｙ局在化精度の対での平均値）のヒストグラムを示す。
【発明を実施するための形態】
【０１６０】
本発明の一例による装置（顕微鏡）を図１に示す。この装置は、少なくとも１つの波長による光学的放射の放出に適している光学系光源１を含む。価値対費用比が最良の光学源は、レーザによって提供される。構造化照明光を用いる広視野測定が完了した後、局在化顕微鏡法で用いる強度範囲にわたって変える、それぞれ（respectively）切替えるために可動式レンズ系２を利用する。さらに、この可動式レンズ系を利用して、１ｋＷ／ｃｍ2から１ＭＷ／ｃｍ2の強度間隔内で照明光の強度を調整することができる。この目的のために、光学系光源１からの光学的放射は、前述のレンズ系２で用いる細い光線にコリメートされる。
【０１６１】
この例において、第１対物レンズ９と追加の第２対物レンズ１０の間に周期的な構造化照明を作成する。第１対物レンズ９と第２対物レンズ１０の間の対象物空間において、試料１１をこの構造化照明を通して自由に移動させることができる。これを達成するために、干渉設定は、ビームスプリッタ３を活用して実現される。ミラー４は可動式であり、したがって干渉計の下部アーム長に対して上部アーム長を変えることができるようにする。このように、対象物空間を通して構造化照明を移動させたり、またはシフトさせたりすることが可能になる。第１集光レンズ５および第２集光レンズ６は、それぞれの対物レンズの後焦点に各々集光し、構造化広視野照明の生成をこのようにして可能にする。第１ダイクロイックビームスプリッタ７および第２ダイクロイックビームスプリッタ８は、試料１１から来る発光（破線）から光源の励起光（点線）を分離する。
【０１６２】
試料１１は、光軸の両側で光に対して透明である。このように、第１センサ１３の方向に試料１１から放出された光子は、第１センサ１３に到達する。第２センサ１４および第２センサ１４の方向に放出される光子に対しても同じことが適用される。第１対物レンズ９、第２ダイクロイックビームスプリッタ７および第１センサ１３を含む、それぞれ（respectively）それらから形成される第１検出光路１５だけを実現化することを所望する場合は、第２ダイクロイックビームスプリッタ８を、追加のミラー２６および円柱レンズ１２と置き換え、第２センサ１４を省略することもできる。
【０１６３】
第２検出光路１６を単独で追加すると、１つの検出光路１５だけを使用する検出と比較して、検出される光子の数が増大するために、分子のほぼ等方性放射で約４０％、局在精度が向上する。円柱レンズ１２を使用することでさらに、横方向局在化精度を減らして、純粋な局在化顕微鏡法によって軸方向局在化精度を向上させることができる。
【０１６４】
提示した装置、それぞれ（respectively）光学設定（optical set-up）は、さらなる遠視野解析、それぞれ広視野解析を使用することによって純粋な局在化顕微鏡法による局在化精度の限界を克服することができる光学設定の単に一例である。均一的に生成された構造化照明は、同様に、構造化照明の単に一例であり、かつ空間的構造化照明の他の種類によって置き換えられることができる。
【０１６５】
局在化精度の限界を克服するための方法は、図２に詳細に示す。さらに明瞭化のために、横方向次元の１つ（ｙ）を、もう１つの横方向次元（ｘ）と完全に同等であるために、無視する。
【０１６６】
対象物１８は、最初に構造化照明１７にさらされる。それによって２種類の測定が行われることができる。すなわち、構造化照明１７をシフトさせて、それぞれ（respectively）移動させて、対象物１８を固定し、あるいは移動させない、いわゆる位相走査、および静的構造化照明１７および静的対物レンズに対して対象物１８を移動させる、いわゆる対象物走査の２つである。両方法の組み合わせも可能である。
【０１６７】
両走査方法のいずれかを用いて、目的領域において対象物１８全体から放出される光を、センサ（例えば二次元センサ）によって検出し、次いで対応するセンサ画像を適切な記憶手段内に記憶する。位相走査から、各センサ素子に対して結果として生じる変調１９を評価することによって、数ナノメートルの精度で各横方向点の相対的なｚ位相を抽出することが可能になる。この情報から、観察される対象物１８の蛍光の重心の位置を得ることができる。対象物走査から、各センサ素子に対して結果として生じる変調２１を評価することによって、各横方向点の光軸に沿って、広がりを約数ナノメートルの精度で抽出することが可能になる。光軸に沿って対象物１８の広がりは、変調コントラストから１ナノメートルの精度で決定するこができる（１−Ｒ１／Ｒ２、ここでＲ１は変調の内側包絡線であり、かつＲ２は変調の外側包絡線である）。合わせて、光軸２つに沿って対象物１８の位置および広がりについての完全な情報が得られる。横方向に局在された各蛍光分子に対して、軸方向位置（実際の距離に変換される相対位相）および局在化精度（対象物１８の広がり）が１ナノメートル精度で決定されることが可能である。記述した遠視野測定、それぞれ広視野測定の場合、単一対象物走査または単一位相走査が十分である。最適な結果は、これらの方法が、異なった結果、それぞれ（respectively）情報を得るのに異なって適しているので、図２に示すようにこの２つの走査法を組み合わせで達成することができる。図２において、参照符号２０は、発光重心（対象物位置）の軸方向位置についての決定を示し、かつ参照符号２２は、ｚ軸に沿って観察される対象物の軸方向の広がりを示す。
【０１６８】
本発明の一態様による装置（顕微鏡）のさらなる一例を、図３に示す。本装置は、最小数の光学構成部品および機械的構成部品を用いる。照明光路は、光学的放射１の単一光源、可動式レンズ２４、第１ダイクロイックビームスプリッタ７および第１対物レンズ９のみで構成される。１ｋＷ／ｃｍ2から１ＭＷ／ｃｍ2の間隔内の強度の切り替えおよび強度の調整が可能になるように、レンズ２４の焦点距離が決定される。光源１からの励起光（点線）が試料１１を通過して、可動式ミラー２５よって反射される。第１対物レンズ９と可動式ミラー２５の間に定在波場が形成され、これは上述のように遠視野検査のために用いることができる。構造化照明は、ミラー２５の移動によってシフトすることができる。同様に、光学格子または追加の光学素子を用いて構造化照明を実現化することができる。上述の方法および上述の装置を用いて、高精度で高速であり、同時に簡単で経済的であり、低価格な、蛍光顕微鏡法での単一色素分子の局在化を実現化することができる。
【０１６９】
図４から図６は、「可逆的な光退色」または「ブリンキング」を示す従来の蛍光色素によるＳＰＤＭを使用することによって、ナノメートル分解能規模でのサブ分解能局在化情報のための装置および各方法のさらに別の例に関する。上記ですでに説明したように、「可逆的な光退色」は、高強度光の照明による、いくつかの蛍光タンパク質、例えばｅＧＦＰ、ｅＹＦＰもしくはｅＣＦＰ、またはｍＲＦＰにおいての一般挙動として示されている。この効果は、ｐＨ依存性（通常１０〜１００ｓの時間尺度で起こる）として説明され、それはレーザ露光下で変更可能である。同様に「ブリンキング」機構は、他の非タンパク質をベースにした蛍光色素、例えばＡｌｅｘａ４８８に存在する。励起活性化型、可逆的に光退色する蛍光色素のこのファミリーの任意の蛍光色素も、頭文字「ＰＨＹＭＯＤ」蛍光色素（ＰＨＹｓｉｃａｌｌｙ  ＭＯＤｉｆｉａｂｌｅ蛍光色素）と呼ばれることになる。
【０１７０】
細胞小構造を、異なるＰＨＹＭＯＤ蛍光色素で標識して、励起の適切な集光条件下で、高速連続で画像を取得した。この特別な例において、５ｎｍまでの局在化精度を達成することが可能であり、測定した構造を、１０ｎｍ範囲の分子レベルまでの効果的な光学分解能で遠視野光ナノスコピーによって視覚化することが可能である。
【０１７１】
図４において、ＳＰＤＭ顕微鏡の主要な設定を模式図で示す。通例の生物学的調製に従って標準ガラススライド上に調製した標本、それぞれ試料４１を用いた。調製した試料４１を、コントローラで制御される圧電ステージ４４の上に配置する。
【０１７２】
この試料４１は、例えば標準遠視野落射蛍光モードまたは単一分子ＳＰＤＭナノスケールモードで画像化することができる。ＰＨＹＭＯＤ蛍光色素で標識した試料４１は、第１レーザ３１（例えば４８８ｎｍのＡｒ＋レーザ３２）または第２レーザ３２（例えば５６８ｎｍのＫｒ＋レーザ）で照明される。このレーザは対物レンズ３３、例えば１００×／ＮＡ１．４、ｏｉｌ（Ｌｅｉｃａ）による対物レンズによって集光される。さらにチューブ光学機器を用いて、観察体積内の多くの蛍光分子が、広範囲の目的領域（「臨界未満の集光」）内で、中出力から高出力のレーザ（約１ｋＷ／ｃｍ2から１ＭＷ／ｃｍ2）で露光されるような方法で、この集光を変更してもよい。これらの条件下でＰＨＹＭＯＤ蛍光色素は、それらの特徴的な可逆的光退色またはブリンキングを示す。これらは、個々の分子の局在化を識別して空間的に割り当てるために用いられる。
【０１７３】
具体的な一例において、約１０，０００から１００，０００個の単一分子が、現在、最高７０μｍ×７０μｍの目的領域で検出されることが可能である。画像情報取得センサとして、６．４５μｍ×６．４５μｍの正方形ピクセルサイズを有する高感度画像取得カメラ４２（例えばＳｅｎｓｉＣａｍ  ｑｅ，  ＰＣＯ）を用いて、時系列の二次元（２Ｄ）画像を、約１０〜１６Ｈｚの繰り返し速度で取得する。２，０００画像の典型的なタイムスタックは、通常、約２．５分内で取得される。カメラ４２によって取得される二次元画像は、記憶装置、それぞれ（respectively）処理ユニット４５の記憶手段に記憶される。処理ユニット４５は、さらに圧電ステージを制御するコントローラを含む、それぞれ（respectively）実行してもよい。さらに、空間情報および／または距離情報を得るために、処理ユニット４５を、取得した一連の画像を処理するように構成することもできる。処理ユニット４５は、例えば、パーソナルコンピュータ等の汎用コンピュータ、専用ハードウェア等であってもよい。処理ユニット４５はさらに、検出された画像および画像処理の結果の表示を可能にするグラフィカルユーザインターフェース、例えば双方向グラフィカルユーザインターフェースを含んでもよい。
【０１７４】
図４において、それぞれ、参照符号３４および３５は、ダイクロイック素子（ダイクロイックミラー）を示し、参照符号３６から３９は、レンズまたはレンズ系を示し、参照符号４０は、照明光をブロックするためのブロッキングフィルタ、それぞれ（respectively）ダイクロイック素子を示す。参照符号は、対物レンズを示し、参照符号４６から４８は、ミラーを示す。
【０１７５】
個々の分子間の局在化および距離の測定のために、処理ユニット４５によって実行されるいくつかのコンピュータアルゴリズムを使用することもできる。一例において、一連の取得した画像に沿って、各２つの連続する画像に分割することによってＰＨＹＭＯＤ蛍光色素を検出することができる。これによって、出現および消滅する単一分子シグナルに対応する局所強度の変化を検出することができる。所定の画像フレームにおいて、ＰＨＹＭＯＤ蛍光色素のすべてのシグナルを同時に登録し、次いで元の画像内のそれらの蛍光の重心（すなわち「強度の重力中心」）にモデル関数をフィッティングする。この正確な位置決定は、分析的に算出した点像分布関数を用いるＬｅｖｅｎｂｅｒｇ  Ｍａｒｑｕａｒｄアルゴリズム、またはＧａｕｓｓｉａｎ分布に基づき、バックグラウンドシグナル近似を考慮に入れて、非線形フィッティングによって行われることができる。この位置は、個々の局在化精度の推定値とともに決定され、取得した各シグナルの光子の数を考慮に入れる推定値と一致する。
【０１７６】
全画像のタイムスタックを介して個々の分子の位置を登録した後、これらのすべての位置は、１つの「マージ」２Ｄ画像に割り当てられる。局在化精度を示すために、それぞれの分子の平均局在化精度に等しい標準偏差で、Ｇａｕｓｓｉａｎ強度分布によってそれらの位置を広げることができる。距離測定は、誤差評価のために局在化精度を考慮に入れて、再構成されたこれらの位置間の重心距離から得ることができる。
【０１７７】
細胞系において本発明の一態様によるＳＰＤＭナノスコピーの可能性を示すために、一例としてＳＫＢｒ３乳房癌腫細胞を標準条件に従ってカバースライドの上で増殖させ、細胞膜およびその突出を、製造者のプロトコルに従ってＰＨＹＭＯＤ条件によるＹＦＰを使用して、Ｏｒｇａｎｅｌｌｅ  Ｌｉｇｈｔｓ（商標）（Ｉｎｖｉｔｒｏｇｅｎ）を用いて視覚化した。２０時間または４８時間、それぞれ（respectively）形質導入後、この細胞をＰＢＳ中４％ホルムアルデヒドで固定して、ＰｒｏＬｏｎｇ（登録商標）Ｇｏｌｄ退色防止試薬（Ｉｎｖｉｔｒｏｇｅｎ）で包埋した。このように、細胞膜に限定されるタンパク質だけを標識した。
【０１７８】
このようにして調製したヒトＳＫＢｒ３細胞を、上述の光学設定を用いて測定した。この細胞内の個々のＹＦＰ分子は、平均して約１４ｎｍ、最小限５ｎｍまでの精度推定値で局在化（localized）され得る。
【０１７９】
図５は、推定された２Ｄ関数としてプロットした度数分布（縦座標）を示す。そこでは、測定した１２，１１５個の蛍光分子のｎｍ（横座標）での局在化精度が示され、平均局在化精度は１４．８ｎｍである。この画像において５００個を超える分子が８ｎｍよりも良好な局在化精度を示す。これらの局在データから間隔を１０〜３０ｎｍ範囲で決定することができる。
【０１８０】
図６は、各局在蛍光タンパク質に対して最近傍距離の度数分布（縦座標）をｎｍ（横座標）で示し（線Ｌ１）、かつ同じ点密度でシミュレートした３つのランダム分布に関する同じ解析を示す（線Ｌ１からＬ４）。図６において、所定の目的領域内のすべての分子に対する最近傍距離の決定を、同じマーカー密度の３つのランダム分布（均一な拡がり）と比較する。蛍光タンパク質がこの領域でランダムに分布されていることをこの結果は示している。局所密度（local density）ならびに周期性特色または方向性特色等の構造情報は、算出された曲線の形状から得ることができる。
【０１８１】
このように、細胞膜内の個々の分子を本発明の一態様によるＳＰＤＭナノスコピーによって局在化することができた。この結果が示すことは、ＰＨＹＭＯＤ蛍光色素を用いることで、画像を取得することが可能になり、わずかに変更しただけの標準落射型蛍光顕微鏡設定および従来の標識した標本、それぞれ（respectively）従来の蛍光標識を用いることによって、その画像の１０ｎｍ範囲の距離が分解されることである。これにより、この技法が容易に、速くかつ経済的に扱えるようになる。数千画像の画像スタックの取得が、わずかに数分で行える。このようにして、生体細胞の画像化に適用することも可能になる。ＰＨＹＭＯＤ蛍光色素は、黄色蛍光タンパク質だけに限定されない。発明者らは、以下の蛍光色素で標識した細胞標本にもＳＰＤＭナノスコピーを適用することに成功した。すなわちｅＧＦＰ、ＣＦＰ、Ａｌｅｘａ４８８、Ａｌｅｘａ５６８。低ナノスケールで位置および距離を決定することにより、多数の構造研究の可能性が提示される。これは、相関顕微鏡法（光学顕微鏡法対イオン化画像化技法）にとって新しい展望を開くことになる。本明細書に示す例に関しては、今までのところ２Ｄ−ＳＰＤＭナノスコピーだけに適用している。ＳＰＤＭナノスコピーをＳＭＩ（空間変調照明）顕微鏡法または他の構造化照明の技法と組み合わせることで、数十ナノメートルの範囲で効果的な光学分解能による３Ｄ−画像化が、原理的には達成可能になる。高分解能蛍光
ナノスコピーにおけるこれらの発展により、細胞構造および機能の新たな洞察を提供することになる。
【０１８２】
したがって、本発明の一態様は、スペクトル精密距離顕微鏡法（ＳＰＤＭ）と、ＧＦＰ誘導体のＣＦＰ、ｅＧＦＰ、ＹＦＰおよびｅＹＦＰならびにＡｌｅｘａ４８８およびＡｌｅｘａ５６８等のフルオレセイン誘導体等の広く用いられている蛍光色素とを組み合わせる遠視野局在（localization）ナノスコピーの新規の技法に関する。ＳＰＤＭは、時間内に光学的分離してから対象物を精密に局在化することによって、蛍光遠視野顕微鏡法の伝統的な分解能の限界を超えることができる。この技法の原理に基づいて、インタクトな細胞において極めて向上した分解能によるレーザ光学精密局在化および画像再構成のためのナノスケール設定を実現させた。具体的には、これは、蛍光タンパク質の可逆的な光退色に依存する励起強度および適切な集光条件下での高速連続画像化によって達成されたサブピクセル精度で個々の蛍光分子をナノメートル空間に割り当てることを可能する。この技法の利点は、細胞のナノ構造解析に容易に適用できることである。遺伝的にコードされた黄色蛍光タンパク質を用いることで、５ｎｍまでの局在化精度での可視光によって膜構造を決定することができ、したがって、１０〜３０ｎｍの範囲で個々の蛍光分子間で距離をナノスケールで分解し、異なる定量的構造解析ツールに適用することを可能にする。
【０１８３】
図７から図１０は、装置（顕微鏡）と、三次元測定、具体的には三次元（３Ｄ）単一分子局在化および対応する効果的な３Ｄ分解能を光軸に沿って実行するために、ＳＰＤＭ／ＳＡＬＭおよび空間変調照明（ＳＭＩ）の組み合わせを使用する方法とのさらに別の例に関する。
【０１８４】
ＳＭＩ顕微鏡法を使用することで、蛍光標識したナノ構造（所定のｘ，ｙ位置で）の軸方向の広がり（extension）（すなわち「サイズ」）を数十ｎｍまで決定することが可能になる。例えば、このナノ構造の軸方向（ｚ）の広がりｄｚが３０ｎｍであると決定された場合、これが意味するのは、このナノ構造内の大部分の分子が３０ｎｍを超えない軸方向の距離を相互に有していることである。したがって、最小の分解可能な軸方向距離（すなわちｚ分解能）も約３０ｎｍになるはずであり、かなりの数の分子が相互に大きなｚ距離を有する場合、これは測定されるよりもさらに広い広がり（ｚ）をもたらすことになる。さらに、これらの分子の平均軸方向局在ｚ0は、最大の軸方向ＳＭＩ強度分布の最大値によって与えられる。
【０１８５】
この概念から、本発明の一態様による以下のアプローチが予想された。初めに、光軸（ｚ）に沿って分子の位置間隔ｄｚを単一の（ｘ，ｙ）ピクセルごとに決定する。標識したナノ構造の軸方向の広がりｄｚが小さくなればなるほど、それらのマーカー、それぞれ（respectively）標識（蛍光分子）が光軸に沿ってより正確に局在化することができ、したがって、軸方向に効果的な光学分解能が向上することになる（すなわち、検出され得る２つの標識された分子間の最小軸方向距離）。例えば、横方向（ｘ，ｙ）の局在化精度が１５ｎｍでありかつ最小測定可能な軸方向（ｚ）の広がりｄｚが３０ｎｍであると想定すると、約３５ｎｍと等しいかまたは約３５ｎｍより大きい分子間の横方向距離が検出可能になるはずであり、これは結果としてもたらされる軸方向広がりが広がるために検出可能になるはずである。これから、この例の場合、約４０ｎｍの全体的な３Ｄ分解能が推定できる。
【０１８６】
光学設定（Optical Set-up）
図７は、サブ分解能測定を行うために用いる組み合わせ型ＳＰＤＭ／ＳＭＩの光学設定の模式図である。遠視野蛍光顕微鏡と比較して１つの主要な改善は、２つの対物レンズ間に形成される光軸に沿って定在波場の形での構造化照明パターンである。この定在波場は、光軸ｚに沿って正確なサイズおよび位置の情報を得ることを可能にする。第２対物レンズおよび追加のセンサを用いる第２検出路は、容易に確立することができ、面内強度を同じに保持しつつ、検出される光子の数を倍にするか、または二平面検出を実行するかのいずれかを可能にする。
【０１８７】
この例において、ＳＭＩ顕微鏡セットを用いて、可逆的光退色にさらされる分子によるＳＰＤＭ観察を実行することができる。照明および励起のために、３個までのレーザ光源５１が、λexc＝４８８ｎｍ、５６８ｎｍおよび６４７ｎｍで利用できる。この光源５１は、ダイクロイックミラーと組み合わせる前に、シャッターでオンおよびオフを非依存的に切り換えることができる。この３本のレーザ線は、それぞれ、レーザ光を約２０ｍｍの径に拡大させるために、１０ｍｍおよび１００ｍｍの焦点距離を有する２つのアクロマートレンズを含むコリメータ５２に向けられる。広がったレーザ光は、次いで、５０：５０ビームスプリッタ５３によって分割され、２本のコヒーレントな逆方向に平行に進行するレーザ光がもたらされる。２つの対向する油浸対物レンズ５４および５５（例えば油浸レンズ１００ｘ、ＮＡ＝１．４）の後焦点面に集光される。これは、２本の逆方向に進行する平行なレーザ光を生じる。これらの２本のレーザ光の間の干渉は、２つの対物レンズ５４および５５の間の空間に定在波場を作り、したがって光軸ｚに沿ってｃｏｓ2−形状の強度分布を形成する。
【０１８８】
試料は、通常の対物スライドおよび／またはカバースリップを用いて調製してもよく、次いで２つの対物レンズの間に設置して、圧電ステージ５６によって光軸に沿って移動し、それによって記録すべき標本、それぞれ（respectively）試料の３Ｄ画像スタックが作られる。装着するミラー５７（圧電ミラー）の位置を制御する付加的な圧電（ピエゾ）ステージは、変えられる干渉計の２本のアームの相対位相を可能にする。検出対物レンズ５５が収集する蛍光標識した標的領域から放出される光は、次いでダイクロイックミラー５８によって励起光から分離され、かつ画像化用の高感度１２ビット白黒ＣＣＤカメラ５９上のチューブレンズ（図示せず）によって集光される。ＣＣＤチップの前面で、ブロッキングフィルタホイール６０は、残存する任意の励起光をもブロックし、フィルタ選択に応じて帯域外の蛍光をブロックする。さらに、色素の退色を減少させるために、しばらくの間発光ダオードを伝達モードで用いて、焦点面を位置付けることができる。図７において、参照符号６１および６２は、それぞれ第１集光レンズ（６１）および第２集光レンズ（６２）を示し、参照符号６３はミラーを示す。
【０１８９】
データ取得
高分解能３Ｄ画像化のためにＳＰＤＭ／ＳＭＩ組み合わせ法は、２つの相異なる取得プロセス、ＳＰＤＭ局在画像取得プロセスおよびＳＭＩ画像取得プロセスを用いる。
【０１９０】
初めに、ごくわずかな退色を有する低照明強度でＳＭＩ画像を撮る。典型的な強度は、約１００Ｗ／ｃｍ2であり、カメラの積分時間は、フレームあたり１００ｍｓである。このため、典型的に２０から４０ｎｍの別々のステップ（Δｚ）で対象物および構造化照明を相互に相対的に移動させる。対象物を静止させ、例えば図７に示す光学設定の圧電ステージ５６を調整することによって、構造化照明を定在波場で移動させる場合、このプロセスを位相走査（phase scan）と呼ぶ。別の方法で、例えば図７に示す光学設定で圧電ステージ５６を調整することによって、対象物それ自体を、移動させる場合、このプロセスを対象物走査（object scan）と呼ぶ。位相走査および対象物走査の各々は、所望の軸方向情報をもたらす。各Δｚステップの後、広視野画像をＣＣＤカメラで記録し、次いですべての画像（具体的には約２００画像）を、ｚ−スタックと呼ぶ第１データスタック内の適切な記録媒体上に保存する。
【０１９１】
ＳＭＩモードの登録を完了してから、二次元ＳＰＤＭ局在化のためのデータ取得を約１ｋＷ／ｃｍ2から約１ＭＷ／ｃｍ2の高レーザ強度で行う。一実行において、ただ１つのレーザ線（λexc＝４８８ｎｍ）をすべての測定で用いる。二次元ＳＰＤＭ取得プロセスの間、これ以上対象物を移動させなくてよい。１０ｆｐｓから１８ｆｐｓ（ｆｐｓはフレーム／秒の略）のフレーム速度を適用すると，個々の広視野画像（対象物あたり約１０００から３０００画像）が、タイムスタックと呼ぶ第２データスタック内に順に保存される。
【０１９２】
目的領域は、この２つの取得プロセスに対して同じであってもよい。目的領域は、目的の構造に応じて、例えば１００μｍ2から５０００μｍ2に設定することができる。
【０１９３】
データ評価
２Ｄ（二次元）局在化
データ取得後、第１評価ステップは、二次元ＳＰＤＭ局在化であってもよい。取得するシグナルのソースは、「点状」分子（すなわち、径＜＜λexc）であるので、評価のために「点状」対象物を顕微鏡システムで画像化する方法についての知識を適用することができる。この知識に基づいて、データサンプリングの効果（ＣＣＤカメラのピクセルのサイズと間隔）および対応するノイズの性質を考慮に入れて、モデル関数を、取得したシグナルにフィッティングすることができる。
【０１９４】
フィッティングアルゴリズムのノイズの配慮を適切な方法で用いるために、具体的には、ＣＣＤカメラの特定照度モード（例えば低照度モード）の量子効率についての情報（これは通常ＣＣＤカメラのマニュアルに記載されている）および特定の利得モードのアナログ／デジタル（Ａ／Ｄ）変換係数についての情報を用いて、カメラカウントから光子への変換を行うことができる。一例において，使用するＣＣＤカメラは、１２ビット白黒カメラ（ＳｅｎｓｉＣａｍ  ＱＥ，  ＰＣＯ  Ｉｍａｇｉｎｇ，  Ｋｅｌｈｅｉｍ，  Ｇｅｒｍａｎｙ）であり、低照度モードで４９０ｎｍと５６０ｎｍの間のＹＦＰ発光放射のその量子効率は、６４±１％または０．６４ｅ-／光子である。この高利得モードにおいてアナログ／デジタル（Ａ／Ｄ）変換係数が２ｅ-／カウントであることを考慮すると、カウント数を２／０．６４（光子／カウント）＝３．１３光子／カウントで乗算する。
【０１９５】
このフィッティングプロセスは、例えば、光子のＧａｕｓｓｉａｎ分布ｆ（ｘ，ｙ）を用いるＬｅｖｅｎｂｕｒｇ−Ｍａｒｑｕａｒｄｔアルゴリズムと、対象物面におけるシグナルに対するモデル関数との２つの異なるインプリメンテーションを用いることで行う。
【数６】
2011514532.tif 000008
上記の式において、ｘ0およびｙ0は、セグメント化シグナルの中心として決定される、位置の開始パラメータである。Ａは、分布の振幅であり、Ｂ0、Ｂ1、Ｂ2は線形バックグラウンドを表すパラメータである。
【０１９６】
この第１フィッティングアルゴリズムは、シグナル取得に関する既知のノイズモデル（Ｐｏｉｓｓｏｎｉａｎ光子と変換ノイズを組み合わせた検出器のＧａｕｓｓｉａｎ読取ノイズ）を考慮して、加重最小二乗法問題を解く。第２フィッティングアルゴリズムは、最小二乗法アルゴリズムである。これらの両アルゴリズムは、コンピュータ上で、かつ汎用コンピュータもしくは専用コンピュータもしくはコンピューティングハードウェア上で、またはネットワークコンピュータ上で実行される種々のプログラミング言語またはソフトウェアパッケージで実行されることもできる。
【０１９７】
シグナルの源、したがってソース分子（すなわち、特定シグナルのソースである蛍光分子）の位置を、５ｎｍ未満（局在化精度）の精度（標準偏差）σlatで横方向に（すなわち対象物面ｘ，ｙで）決定できる。第２実施形態で用いた条件下で、分子の未知の方向性に起因する局在化誤差は、無視してもよい。局在化精度の限界は、発光波長λemission、光学の開口数ＮＡおよび検出される光子数ｎγとして、関係式σlat≒λemission／［ＮＡ＊ｎγ1/2］によって推定できるので、局在化精度の主限界は、収集した光子の数にある。
【０１９８】
３Ｄ（三次元）局在化
３Ｄ局在の原理は図８に概要を述べる。横方向（ｘ，ｙ）および軸方向（ｚ）の分布を有する目的（すなわち目的の対象物）の模範的なナノ構造は、図８（ａ）に示す。所定のｘ，ｙ位置でのナノ構造のすべての分子は、約１３０ｎｍ（例えばｄｚ≒６０ｎｍ）未満の軸方向広がりを有すると想定する。目的の対象物（図８（ａ））を光軸に沿った定在波場内に配置して、図８（ｂ）に示すように励起する。定在波場（位相走査）または対象物（対象物走査）のいずれかを、同じステップ（例えばΔｚ＝２０ｎｍ〜４０ｎｍ）で移動させる。図８（ｃ）は、位相走査のためにｚ軸に沿って検出した強度分布を示す。図８（ｄ）は、対象物走査のためにｚ軸に沿って検出した強度分布を示す。
【０１９９】
各ステップで、蛍光発光を検出し、次いで１つのフレームに別々に保存する。次いですべてのフレームを、図８（ｅ）に示すように軸方向平均位置ｚ0（ｅ）を表示する３Ｄデータスタック（ｚ−スタック）に保存する。この平均位置は、図８（ｄ）に示す強度分布の最大値から得られる。走査データ（図８（ｃ）に示した位相走査データまたは図８（ｄ）に示した対象物走査データ）を評価することにより、変調ｒ＝（ｍａｘ−ｍｉｎ）／ｍａｘ（ここでｍａｘは、時間軸（ｚ座標に対応する）に沿った最大強度であり、ｍｉｎは最小強度である）におけるコントラストから決定される対象物の空間的広がりｄｚが、数ナノメートルの精度で得ることができる。図８（ｇ）は、横方向（ｘ，ｙ）の目的領域のすべてのピクセルの軸方向（ｚ）マージデータを示す。
【０２００】
次いで、軸方向補間情報（図８（ｇ））を二次元ＳＰＤＭ局在化の単一分子位置と組み合わせることができ、ナノスケールで効果的な３Ｄ光学分解能による３Ｄ画像がもたらされる。これを図８（ｈ）に示す。一例において、結果としてもたらされる三次元ＳＰＤＭ画像は、約３０ｎｍの横方方向の効果的光学分解能（ｘ，ｙ局在化顕微鏡法から得た）および４０ｎｍの軸方向の効果的光学分解能（ｚ−広がり測定から得た）の効果的な光学分解能を有する。十分な光安定性を有するただ１つのフルオロフォアがｚ軸に沿って励起される場合、そのｚ位置を、１〜２ｎｍの範囲内の精度でも、ＳＭＩでモニターすることができる。
【０２０１】
以下は、上述の適用および生物学的構造のサブ分解能測定に対する光学設定の一部の例である。
【０２０２】
試料準備
生物学的ナノ構造の画像化のために上述の高分解能三次元ＳＰＤＭ／ＳＭＩを用いるための第１適用例として、黄色蛍光タンパク質（ＹＦＰ）で標識したヒト乳がん細胞系Ｃａｌ−５１の細胞膜を分析した。
【０２０３】
ヒト由来のＣａｌ−５１乳がん細胞を、３７℃の５％ＣＯ2加湿インキュベータ内で、１０％ＦＣＳ、１％Ｌ−グルタミンおよび１％ペニシリン／ストレプトマイシンを補充したＤＭＥＭ培地中で定期的に培養した。次いでこの細胞を２０×２０ｎｍのカバースリップ上に播種して、３７℃で５％ＣＯ2加湿インキュベータ内で一晩増殖させた。細胞膜の標識化を、製造者のプロトコルに従って、Ｏｒｇａｎｅｌｌｅ  Ｌｉｇｈｔｓ（Ｉｎｖｉｔｒｏｇｅｎ  Ｃｏｒｐｏｒａｔｉｏｎ，  Ｃａｒｌｓｂａｄ，  ＵＳＡ）によって行った。このキットは、蛍光マーカー（標識）を特異的細胞コンパートメント（この場合は細胞膜）に向けるシグナルペプチドに融合した遺伝的にコードされた蛍光タンパク質（ＹＦＰ）に基づく。細胞送達は、バキュロウイルスに基づいて、ＢａｃＭａｍ技術によって達成される。次いで、この細胞を３７℃で５％ＣＯ2加湿インキュベータ内で２４時間インキュベートし、続いて細胞構造を安定させるためにＰＢＳ中４％ホルムアルデヒトで固定した。形質導入効率は約６０％であった。
【０２０４】
ＰｒｏＬＯｎｇＧｏｌｄ退色防止試薬（Ｉｎｖｉｒｔｒｏｇｅｎ）を用いて細胞をマウントした。退色防止試薬を１滴、対物スライド上に滴下し、次いで細胞側を下に向け、その上にカバースリップを慎重に下ろして行った。これらのスライドをマニキュア液で密封し、使用するまで暗所に４℃で保管した。
【実施例】
【０２０５】
実施例１：二次元ＳＰＤＭ再構成
第１適用例として、上述によるＳＰＤＭ顕微鏡法を、膜タンパク質の分布の二次元（２Ｄ）再構成のために用いた。この実施例のために、ヒト乳がんＣａｌ−５１の細胞を黄色蛍光タンパク質（ＹＦＰ）で標識した。ＳＰＤＭ画像化プロセスの間、このＹＦＰ分子は、上述のように可逆的光退色に基づく適切な物理的修飾を受けた。よりスムーズに見えるようにおよび局在化精度を示すために、位置および局在化蛍光タンパク質の数に対応するピクセル（１０ｎｍピクセルサイズ）を、標準偏差１５ｎｍでＧａｕｓｓｉａｎカーネルを介してぼやけさせた。本実施形態において、ＳＰＤＭ画像で分解した最も微細な細胞（細胞突出）の（ｘ，ｙ）幅は、約５０ｎｍ〜６０ｎｍに達した。収集した分子分布あたりの光子の数（図９）から、６ｎｍの範囲になる光子統計のために限界局在化精度を推定することができ、これは、フィッティング方法によって得た約１５ｎｍの実験局在化精度（図１０）と矛盾しない。
【０２０６】
図９ａおよび図９ｂは、観察した２つのＣａｌ−５１細胞に関する分子あたりの登録光子数の分布のヒストグラムを示す。推定される平均光子数は、図９ａに示した分布の場合は１，３６１個であり、図９ｂに示した分布の場合は１，０８０個である。局在化タンパク質分子の総数は、図９ａに示した例の場合は１２，６９１個であり、図９ｂに示した例の場合は６，８７１個である。
【０２０７】
図１０は、その光子分布ｎを図９ａに示すＣａｌ−５１細胞の１つに対する局在化精度（localization accuracy）（ｘおよびｙ局在化精度の対平均値）のヒストグラムを示す。局在化精度の全体平均値は、標準偏差３．９ｎｍで１４．９ｎｍである。蛍光分子の総数は、１２，６９１個である。
【０２０８】
どちらの場合も、総データ取得時間は約２．５分であり、２０００画像の広視野画像を毎秒約１３フレームの平均フレーム速度で記録した。登録した分子あたりの平均光子数は、図９ａに示した細胞の場合は約１，３００個であり、図９ｂに示した細胞の場合は１，１００個であった。フィッティング方法は、加速法を実行せずに従来のシングルコアコンピュータ上で３から１０分かかる。数日間に２つの標本から取得した１００を超えるＳＰＤＭ画像を含む全シリーズを通して、関連性のある値（光子数、局在化精度、および局在化された（localized）分子数）は極めて類似していた。
【０２０９】
実施例２：三次元ＳＰＤＭ／ＳＭＩ再構成
第２実施例は、空間的に変調された照明（光軸に沿ったｃｏｓ2強度分布）を用いて広視野モードで最初に画像化することによってＣａｌ−５１細胞（生理化学的に修飾されたＹＦＰで標識した細胞膜）を三次元ＳＰＤＭ／ＳＭＩ再構成することに関する。定在波場を、５μｓ（位相走査）に対してステップサイズΔｚ＝２５ｎｍで定在波場を移動させた。細胞膜突出の細胞発光をΔｚステップごとに記録した。実験的に効果的な波長（λexc／ｎ＝３３０ｎｍ）および圧電アクチュエータのｚ−位置決めの精度（標準偏差８４ｎｍ）と比較すると、このプロセスは、大きいオ−バーサンプリングに相当する。しかし、総取得時間は約２０秒だったので、さらに大きいステップまたはさらに数ステップを用いる必要はなかった。
【０２１０】
時間軸に沿って一次元フーリエ変換を行い、次いで光パターンの波長（３３０ｎｍ）を知ることによって、スタックの各横方向（ｘ，ｙ）ピクセルに対して位相を決定した。各ピクセルの発光中心の位置を得るために、位相をπ／２ごとに変え、かつ変調照明の波長によって増大させた。
【０２１１】
光軸に沿った対象物の広がりｄｚを決定するために、修飾（modified）コントラストＲmod＝Ｉmax／ＩminをＳＭＩモード画像に記憶した情報から算出した。バックグラウンドを取り除くことでゼロレベルを調整してから、フーリエ領域を用いて、振幅および定常的な偶発的変調を直接決定した。次のステップで、コントラスト画像を対応する構造サイズと相関した。
【０２１２】
軸方向の小さい広がりを有する構造要素（φ）は、低修飾変調コントラストＲmodを有する対象物走査強度分布に対応する。チューブ状であると予想され、かつ均一に標識された構造において、４８８ｎｍ励起光で生成されたｃｏｓ2形状の定在波場に対して、以下の関係式を推定することができる。
Ｒmod＝１０％⇒φ＝５０ｎｍ、
Ｒmod＝４０％⇒φ＝１４０ｎｍ、
Ｒmod＝７０％⇒φ＝１９０ｎｍ。
【０２１３】
軸方向位置ｚ0および広がりｄｚの分析後の次のステップは、同じ対象物での単一分子の二次元（２Ｄ）ＳＰＤＭ局在化であった。次いで、得られた２Ｄ局在画像（ｘ，ｙ）データを、ＳＭＩ（ｚ0）位置およびサイズ（軸方向広がりｄｚ）情報と組み合わせて、三次元位置情報を得た。特定の場合において、ｘ，ｙ幅（約５５ｎｍの最小幅）およびｚ方向（約５０ｎｍの最小Δｚ）で、極めて小さい細胞突出を観察することができた。したがって、この突出の構造が、長さ約３μｍおよび直径約５０ｎｍの桿体の構造に対応すると決定した。
【０２１４】
上述の例において、ただ１種類の分子（細胞膜結合タンパク質）をＳＰＤＭ／ＳＭＩによって画像化した。このため、１本のレーザ線だけを励起のために用いて、発光を短波長域に限定した。しかし、上述の方法を、複数の励起波長を有する適切な多色のＳＰＤＭ／ＳＭＩに拡張して、発光スペクトルを適切に識別させることができる。この場合、色収差を考慮しなければならない場合もある。高品質対物レンズを用いても、これらの色収差は、横方向（ｘ，ｙ）および軸方向（ｚ）に５０ｎｍまでの大きさになり得る。したがって、多色のＳＰＤＭ／ＳＡＬＭ画像化の際には特別な注意をはらって、適切なｉｎ  ｓｉｔｕ較正手順によってこれらの収差を補正する必要がある。
【０２１５】
本発明は、さらに、以下の態様のうちの１つまたは複数に関する。
【０２１６】
一態様によれば、蛍光顕微鏡法において単一色素分子を局在化するための方法および装置を提供する。これらを活用して、観察、それぞれ（respectively）解析すべき試料または対象物を標識するために用いる蛍光色素分子を、統計的かつ個別に、非蛍光状態から蛍光状態に移行させ、次いで蛍光の発光によって持続的な不活性状態に移行させる。
【０２１７】
それの蛍光を情報取得センサ上で収集し、続いて画像空間で個々の蛍光分子の局在化を実行する。観察すべき少なくとも１つの蛍光標識した対象物に関する対象物情報は、少なくとも１つの広視野方法、それぞれ（respectively）遠視野方法を活用し、かつ少なくとも１種類の構造化照明を使用した対象物観察を基にして得られる。対象物情報から、少なくとも一空間方向において観察される蛍光標識した対象物の空間的広がりおよびこの方向における色素の重心位置が決定される。さらに、蛍光顕微鏡法において避けられていた１ｋＷ／ｃｍ2から１ＭＷ／ｃｍ2の範囲にある、光学的放射の強度のための適切な１つのウインドウを決定する。このウインドウには、蛍光単一色素分子をそれらのシグナルで局在化し、局在化顕微鏡法によって一時的に分離する。得られた対象物情報と局在化顕微鏡法による結果を組み合わせ、このようにして局在化精度の限界を克服することができるようになる。局在化精度は、観察する色素分子の局在化に依存して純粋な光子によって現れる。したがって、このような状態下で個々の色素分子の最大局在化精度を達成する。
【０２１８】
上述の態様によれば、構造化照明と遠視野顕微鏡観察を組み合わせる。したがって、それ以外は局在化顕微鏡観察と同じ条件で、局在化精度または光軸に沿った精度の限界を克服することが可能になる。構造照明の技術、それぞれ（respectively）構造照明の種類に依存して、蛍光標識した対象物の構造のサイズを数ナノメートルまでの精度で決定することが可能である。該対象物構造は構造化照明において最大強度間の距離よりもさらに小さい広がり、それぞれ（respectively）サイズを示す。マーキング、それぞれ（respectively）標識化の中心、それぞれ重心の位置にも同じことが適用される。局在化顕微鏡法を用いると、主に極めて小さい構造に関心が持たれることになるが、横方向検出およびシグナルの局在化を一度行えば、分子が位置しているはずの「深度（depth）」（標識化の重心）およびその位置が決定された（対象物の広がり）精度が直ちに分ることになる。このように、極めて光子収率が悪くても軸方向で４０ｎｍ未満（標準偏差なし）および横方向で１０ｎｍ未満（標準偏差約４ｎｍ）の絶対精度で、三次元単一分子局在化を行うことが可能である。
【０２１９】
一態様によれば、対象物の遠視野観察、それぞれ（respectively）測定は、前もって行うことができる。これにより、局在化顕微鏡法で対象物を再構成する前に、対象物それ自体についての何らかの重要な結論または断定をすることが可能になる。したがって、例えば標識化がいかに良く実行されたかを前もって推定することが可能になる。例えば電流プロセスまたはフロープロセス等の構造の未分析変化または比較的大きな変化をｉｎ  ｖｉｖｏで測定することができる。
【０２２０】
一態様によれば、データの検出、それぞれ収集を５分未満内で行うことができる。これは、最高数時間を必要とする代替方法と比べると、２桁までの差を示す。これは、特に生物系のｉｎ  ｖｉｖｏ観察にとって有利である。したがって、厳しく、複雑な技術的解決法を回避することが可能になる。これによって、ドリフト問題に対抗するもしくは該問題を軽減することができる、または観察する試料の生命の維持を提供することができる。一方、提案する方法を用いると、最小構造に関しても重要なｉｎ  ｖｉｖｏ観察も行うことが可能になる。
【０２２１】
蛍光分子の代わりに、提案する新しい方法のｉｎ  ｖｉｖｏ適用性を向上させるために、リン光を発する分子を使用することも可能である。これらの分子は、より長い時間にわたって局在化を可能にする。
【０２２２】
さらなる態様によれば、構造化照明の空間較正を少なくとも１つの蛍光基準点を活用して行うことができる。較正方法を用いかつ少なくとも１つの蛍光基準点を使用することによって、それを活用して部位、それぞれ（respectively）位置および定在波場の強度を直接測定して、方向づけることができ、構造化照明の利用を最適化しおよび／または最大精度を有する構造化照明を表すことが可能になる。基準点として、カバースリップのカバーガラス上の弱い蛍光を発する薄層、それぞれ試料調製、例えばフォトラッカー、それぞれフォトレジストを使用してもよい。
【０２２３】
さらなる態様において、少なくとも１つの蛍光色素を標識化のために用いて、および遠視野観察、特に広視野観察の間、この方法の少なくとも１つの、十分に成功する適用で、蛍光色素分子の一部は活性状態であり、かつ対応する観察のために用いられる。さらにこの蛍光色素分子の一部は、不活性状態のままであり、かつ光学的放射の強度を、約１ｋＷ／ｃｍ2から１ＭＷ／ｃｍ2のウインドウ内の強度に変えるまたは切り換えることによってのみ活性化する。局在化顕微鏡法において観察される蛍光標識した対象物の画像化は、蛍光色素分子の第２部分に基づいて行う。
【０２２４】
したがって、遠視野観察、それぞれ広視野観察を目的として蛍光分子の十分な部分を活性化する場合、遠視野観察、それぞれ広視野観察のために最初に不活性化蛍光分子を用いることが可能である。遠視野観察、それぞれ広視野観察を目的として蛍光分子の部分的活性化を、例えば第２照明波長によって行うことができる。例えば熱活性化等の異なる活性化方法も使用することができる。蛍光色素分子の第２部分は、局在化顕微鏡法において、次の局在化のために使用する。２種類以上の蛍光色素、それぞれ色素分子を含む多重標識で対象物を標識することも可能であり、その結果、局在化顕微鏡法において１種類の色素を遠視野観察、それぞれ広視野観察のために用い、次いで他の色素を次の単一分子局在化のために用いることができる。
【０２２５】
用いる光学的放射は、単色であってもよい。したがって全観察、それぞれ（respectively）解析のプロセスに１つの単一波長を用いることが可能である。それによって約１ｋＷ／ｃｍ2から１ＭＷ／ｃｍ2の強度範囲内で、局在化顕微鏡法を行う。これは、局在化顕微鏡法を単独で使用し、かつ色素分子の活性化、励起および非活性化のために少なくとも２つの波長を使用する従来のシステムに対して経済的および技術的な優位性をもたらす。変更しなければならないパラメータの数を、したがって少なくとも半分に減らすことができる。当然ながら、２つ以上の波長の使用も本発明によるものである。これは、例えば、複数の種類の分子の局在化を目標とする場合、有利になり得る。
【０２２６】
別の態様によれば、約１ｋＷ／ｃｍ2から１ＭＷ／ｃｍ2の範囲内から最適な強度を、使用する個々の蛍光色素の種類、それぞれ（respectively）蛍光色素分子の種類ごとに決定する。したがって、最大局在化精度および局在化色素分子の数は、局在化顕微鏡法において観察した蛍光標識対象物を画像化する間に確実に達成される。
【０２２７】
具体的には、局在化精度と局在化分子の数と、したがって約１ｋＷ／ｃｍ2から１ＭＷ／ｃｍ2の強度範囲内の最適な照明を分子特異的に決定することによる局在化方法の再構成とを最適化することが可能になる。局在化精度および局在化分子の数は、同時には最大化することができないことが多いので、妥協することが必要になることもある。
【０２２８】
すでに上述したように、局在化顕微鏡法における部分的に繰り返すプロセスの課程は、以下の通りである。すなわち、標識化のために用いる色素分子の一部を活性化する。ここで活性化する分子の密度は、回折限界検出体積あたり１分子より低い密度にする必要がある。例えば、点像分布関数の最大強度の例えば半分よりも高い強度を有するすべての点がその体積（volume）に属するとしてカウントされるということにおいて、効果的な点像分布関数を活用して、この体積を十分に表すことができる。活性化の後、センサを活用してシグナルの取得を行い、続いて、例えば退色による活性分子の非活性化を行う。これらのステップを複数回繰り返して、異なる時点で撮ったデータの取得バッチまたはスタックを、コンピュータで実行する再構成プロセスによって再構成する。この目的のために、これらのデータのセグメント化を初めに行って、すべての分子を識別することができる。さらなるステップにおいて、点像分布関数のために使用した二次元または三次元のモデル関数を識別したシグナルに対してフィッティングを行う。
【０２２９】
一態様によれば、１つの対象物内ですべての蛍光シグナル対して局在化顕微鏡法を適用するために、同じ点像分布関数を用いる。
【０２３０】
蛍光色素分子に関する検出したすべてのシグナルに対して、１つの共有の理論的な３Ｄモデル関数を作成する。この３Ｄモデル関数を多くの層で光軸の方向で分割し、次いでこの３Ｄモデル関数と、取得した画像データからの単一画像をコピーすることで形成したデータスタックとによる一横方向の相互相関を行う。相関関数の最大値は、１つの対象物識別と１つの３Ｄ局在の両方を表す。
【０２３１】
したがって、セグメント化プロセスと局在化プロセスを組み合わせることばかりでなく、Ｌｅｖｅｎｂｅｒｇ−Ｍａｒｑｕａｒｄｔまたは他の改良型最小二乗法アルゴリズム等のフィッティングアルゴリズムを介してモデル関数の比較的に集中的に計算するフィッティングの手間を省くことが可能になる。本発明の本態様によるこの再構成法は、具体的には、該方法が色素分子から検出されるすべてのシグナルが単一の小構造内で放出されるという事実を利用することを特徴とする。この場合、環境、それぞれ周囲の屈折率において撹乱する差異を無視することができる。それによって１つの単一三次元モデル関数が作成され、次いで取得した画像スタック（すなわち取得した時系列）の単一画像をコピーすることによって形成したデータバッチ、それぞれデータスタックと相互相関する。結果として得られるスタックにおいて、ある特定の層におけるシグナルとモデル関数の類似点を表す、現れる最大値から単一分子の識別および同時に対象物または画像空間における各分子の位置付けを直ちに実行することが可能である。
【０２３２】
対象物の識別および蛍光色素分子の３Ｄ局在化を最適化するために、閾値法を用いてもよい。閾値解析法を用いて、有意な最大値だけを評価することによって再構成法を最適化することもできる。したがって、再構成の品質管理のためのさらなる方法を得ることができる。
【０２３３】
相互相関の代わりに、ウェーブレット相関または同様な方法を用いてもよい。上述のセグメント化および局在化を同時に行う方法を顕微鏡法以外の他の領域で適用することも可能である。この同時方法は、大幅な経済的利益をもたらすことができる。この場合、相関操作を利用して、基底ベクトルまたは構成成分のシグナルを分解することができる。セグメント化ステップにおいて、シグナルがどのようであるか、個々のシグナルの加重がどのように見えなければならないか（分類、それぞれ（respectively）分類子（classificator））は知られているという事実を効率的に利用することができる。
【０２３４】
独国特許出願公開第１９８３０５９６．６号明細書、特願２０００-５０２４０６号、ＵＳ０９４６２４３５、国際出願番号ＰＣＴ／ＥＰ０２／１１３４３号、国際公開第２００６／１２７６９２号Ａ２パンフレットに開示されるように、構造化照明を局在化顕微鏡法でも使用すると、局在化精度をさらに上げることができる。その際、照明は、シグナルを取得する間、同じ状態を保つ。分子はより高い強度の領域に局在化されるので、検出された単一分子の潜在的な位置についての追加情報を得るという事実を利用する。
【０２３５】
一態様によれば、少なくとも１つの色素分子での励起の間、移動する構造化照明を局在化顕微鏡法の適用でも用いる。少なくとも１つの蛍光基準点と相対的なシグナルと関連する少なくとも1つの分子の位置が、これらの条件精度下で最大限に検出されるように、少なくとも１つの色素分子から検出されるシグナルにおいて変調の位相が再構成される。
【０２３６】
シグナルを取得する間、構造化照明が移動することによって、個々の分子をこのような状態下で最大限に局在化できるという結果をもたらす。それによって利用されるのは、互いに対してまたはさらなる標識化に関して蛍光分子の相対的な位置が、得られる位相情報から決定できるということである。位相を決定することができる精度は、１桁のナノメートル範囲内である。この精度は、達成可能な局在化精度に相当しかつこのような状態下で達成可能な従来の局在化精度とは約１０倍異なる。
【０２３７】
局在化顕微鏡法の精度を限定するさらに１つの要素は、使用する標識それ自体である。蛍光タンパク質は、観察すべきタンパク質と共発現する、したがってその構造に直接的に付着するのに対して、他のすべての蛍光分子は、特異的結合分子（例えば抗体または抗原）を介して、または他の化学的方法もしくはプロセスを介してその分子構造に連結、それぞれ結合しなければならない。観察下の構造に対してシグナルを発光する分子の位置は、多少のぼけまたは不明瞭さによって乱されるので、通常、より大きい距離にわたるこの連結、各結合は、達成可能な局在化精度を大幅に限定することが多い。さらに、所望の領域での結合は、他の位置でよりも単純に起こり得るので、非特異的結合は、重大な問題を起こすこともある。しかし、十分に強いシグナルを得るために、実際に必要に応じて著しく多い色素分子を観察下の対象物に導入し、その結果内部構造（例えば細胞内）に対して、処理する必要がある非常に強いバックグラウンドを引き起こす。この課題を克服することは、局在化顕微鏡法の最も重要な目的の１つである。
【０２３８】
最良の結果を得るために、蛍光タンパク質または他の構造的に分子に近接する分子を標識として使用することができる。基底状態で蛍光を示さない新しい、遺伝子組換えタンパク質は、順次、例えば光化学的に活性化されかつ局在化されることができ、その結果、標識した構造の点ごとの再構成が可能になる。これらの特別に修飾されたタンパク質は、観察されるべき生物に、それぞれ対象物に、分子遺伝学的技法を介して導入されなければならない。この技法は、特に真核細胞の場合、厄介で費用のかかる複雑な方法になることがある。
【０２３９】
他方では、遺伝子組換えされていない従来の蛍光タンパク質は、前世紀の６０年代以降より周知である。このタンパク質は多種多様な利用に成功しており、かつ安定に発現した細胞株で市販されていることが多い。しかし、それらの蛍光特性を局在化顕微鏡法で利用することは、現在まで考えられなかった。
【０２４０】
本発明の一態様によれば、光学的放射の強度を、約１ｋＷ／ｃｍ2から１ＭＷ／ｃｍ2の強度範囲内にある強度を有する光で照明するとき、非活性化可能なおよび非切替え可能な蛍光分子が、統計的に励起される。
【０２４１】
局在化顕微鏡法の従来の方法は、通常、いわゆる光切替え可能なまたは光活性化可能な蛍光分子またはタンパク質を使用している。異なる特徴のある波長で照明することによってこの分子を活性化／非活性化することができる。この特別な光切替え可能なもしくは光活性化可能な蛍光分子またはタンパク質に基づく顕微鏡法の技法は、蛍光の非存在の原理に基づいて作動し、かつ高強度の光による照明を使用する本出願で提案する方法とは異なる。従来の方法および装置は、高強度照明光を利用する方法および装置よりもかなり複雑である。具体的には、いくつかのパラメータ、例えば、複数のレーザ光源の強度または複数のフィルタ等を、画像取得の過程において同時に制御しかつ変更を行う必要がある。さらに、画像の取得時間が通常、非常に長く、その結果システム全体の機械的安定性が極めて高いことが必要とされる。
【０２４２】
サブ分解能測定を行うために、高強度照明光を用いることによって従来の非活性化可能なおよび非切替え可能な蛍光分子を効率的に利用することができる。さらに、プロセス全体が大幅に複雑でなくなり、容易に制御できるようになる。同様に、データ取得時間をかなり縮小することができる。
【０２４３】
さらに、約１ｋＷ／ｃｍ2から１ＭＷ／ｃｍ2の範囲の強度を有する照明を利用し活用して、従来の蛍光タンパク質を利用することが、それらの特別に修飾された類縁体を最適に活性化することと同様に可能になる。遠視野の取得は、特にこれらのタンパク質を活用して十分に行うことができる。しかし、この従来の蛍光タンパク質は、局在化顕微鏡法に適していないと今まで考えられていた。今までこの従来の蛍光タンパク質、例えばＧＦＰ（緑色蛍光タンパク質）およびＹＦＰ（黄色蛍光タンパク質）が局在化顕微鏡法で用いられなかった理由は、具体的には、１ｋＷ／ｃｍ2から１ＭＷ／ｃｍ2の強度領域が、広視野顕微鏡法および共焦点顕微鏡法の双方に対して不利な点だけをもたらすと考えられていた。具体的には、広視野顕微鏡法において強度を高めることは、達成可能な分解能に対して何の利点もなく、プローブがかなり速く退色する原因となると考えられていた。共焦点顕微鏡法において、さらに良好なシグナル対ノイズ比を達成するために、強度がさらに必要（すなわち、上述の約１ｋＷ／ｃｍ2から約１ＭＷ／ｃｍ2の領域よりも高い強度）が必要であると考えられていた。
【０２４４】
さらに、焦点ボリューム内で励起したすべての分子は、空間的に識別されないシグナルに同時に寄与するという事実が原因で、通常、共焦点設定で使用される共焦点「一点検出」（１つの光ダイオード等の単一センサ）は、本発明による技術的効果を視覚化するのには適性度が低いまたは適していない。
【０２４５】
本発明の一態様による方法を活用して、確立された安定な標識も使用することができる。このように、数千もの貴重なスライド標本（slide preparation）または標本をナノメートル範囲で解析することができる。さらに、いわゆる「スマートプローブ」等の新しい蛍光マーカーを本発明の一態様による上述の方法で利用することができる。これらのマーカーは、指定された構造に結合しかつ、したがってそれらの立体構造を変えた場合、活性になるだけである。結合せずかつ押し流されずに残存しているすべての分子は、したがって適用される遠視野技法、それぞれ広視野技法および局在化顕微鏡法の両方の場合に不可視のままである。したがって、従来の方法において存在する邪魔なバックグラウンドを実質的に排除できることが主要な利点である。さらに、細胞構造だけを再構成できる。
【０２４６】
本発明のさらなる態様は、上述の態様のうちの１つに従って、光学照明光路の広視野設定を有する１つの光顕微鏡を使用する蛍光顕微鏡法において、単一色素分子を局在化するための方法を実行するための装置に関する。この装置は、少なくとも１つの追加の光学素子を含む。この素子は、光学的放射強度の決定される最適な密度を１ｋＷ／ｃｍ2から１ＭＷ／ｃｍ2の範囲に、および／または範囲内に調製することができるように、光顕微鏡の照明光路内に組み込まれている、それぞれ（respectively）位置している。
【０２４７】
したがって、光学的放射の強度を１ｋＷ／ｃｍ2から１ＭＷ／ｃｍ2の強度ウインドウまたは間隔に調整できるように、従来の広視野照明を少なくとも１つの適切な光学素子を使用することによって変更することができる。このように、本発明のいずれかの態様による方法を可能にし、それぞれ（respectively）容易にすることができる。特定の色素または標識を用いることで、この強度間隔またはウインドウを高い値方向にまたは低い値方向に拡張することは有利になり得る。
【０２４８】
本発明のさらなる態様は、上述の態様のうちのいずれかに従って、蛍光顕微鏡法において単一色素分子を局在化するための方法を実行するための装置に関し、ここで光学照明光路の共焦点設定を有する１つの光顕微鏡を使用し、光学的放射の決定される最適な強度を１ｋＷ／ｃｍ2から１ＭＷ／ｃｍ2の範囲におよび／または範囲内に調整することができるように、少なくとも１つの追加の光学素子が、光顕微鏡の照明光路内に組み込まれている、それぞれ位置している。
【０２４９】
本発明の一態様による装置において、少なくとも１つのレンズおよび／または少なくとも１つのグレーフィルタおよび／または少なくとも１つの音響光学モジュレータもしくは電気光学モジュレータを、光顕微鏡の光学照明光路に追加の光学素子として組み込み、それぞれ（respectively）導入することができる。それによって、例えば単一レンズもしくはレンズ系、したがってまたは単一グレーフィルタもしくはグレーフィルタ一式を顕微鏡に実装することは、特に容易である。偏光光源を有する照明の強度を連続的に調整するまたは制御するために、偏光フィルタは、便利な代替手段を提供する。音響光学モジュールまたは電気光学モジュレータは、したがってさらに別の代替物を表す。追加のレンズならびに単一レンズとグレーフィルタ一式の組み合わせを使用することによって変更した広視野設定のテストも成功している。
【０２５０】
照明源として極めて低価格のレーザポインタを使用することも同様に可能であることを考慮に入れると、当然、一部の種類の構造化照明を組み込んだ十分に機能的な遠視野局在化顕微鏡設定も比較的低価格で可能になる。低価格の構造化照明は、例えば光学格子または複数光線の干渉方法で一体化することによって実現可能となる。高価な特別対物レンズ、メインフレームまたは大容量コンピュータおよび特別なセンサを使用しなくても、１時間未満の許容できる時間内でこのシステムの結像能力は、従来得られた顕微鏡システムの結像能力よりも優れている。さらに、最も簡単な場合、ユーザにとって操作（例えばレンズ位置を介しての強度制御）で利用できる唯一の自由度があるという事実は、光学、機械学または電子工学の分野の付加的な知識がなくても、この装置をあらゆる人が使用できることを保証している。
【０２５１】
さらに、さもないと第１センサに到達しない追加の光子を登録するために、少なくともさらに１つのセンサを、少なくとも１つの追加の光学検出路で用いることができる。このように、横方向および軸方向の局在化のための追加情報を集めることができる。
【０２５２】
少なくとも１つの追加の光学素子を挿入することによって少なくともさらに１つの光学検出路を変更することができ、その結果追加（第２）光路からのデータが、横方向の局在化精度を減らして光軸に沿って局在化精度を向上させることもある。例えば統計的に単一局在化を組み合わせることで、これらの条件下で最大の三次元局在化精度を達成することもできる。
【０２５３】
単一蛍光分子の局在化は、第２センサを使用することによってさらに最適化することができる。少なくとも１つの追加の検出光路が提供される限りにおいて、例えば位相決定のため、具体的には、励起の間移動する構造化照明を局在化顕微鏡法で使用するとき、位相変調について再構成するために、追加のセンサを用いることができる。
【０２５４】
同様に、変更した追加の検出光路の後方に追加のセンサを使用することも可能である。それによって例えば軸方向の局在化精度の向上が、横方向の局在化精度を減らして達成することがでる。すべてのセンサが収集したデータを、例えば局在化および再構成プロセスを最適化するために統計的に組み合わせることができる。
【０２５５】
すでに上述したように、一態様によれば、局在化顕微鏡法において、該顕微鏡法と構造化照明を有する遠視野技法とを組み合わせることによって、局在化精度および達成可能な対象物情報を向上させるための方法および装置を提供する。ここで、蛍光標識のために用いる色素分子が、１ｋＷ／ｃｍ2未満の強度での従来の遠視野照明に続いて、約１ｋＷ／ｃｍ2から１ＭＷ／ｃｍ2の強度範囲内の強度を有する光学的放射によって励起される。
【０２５６】
さらに、さらなる態様によれば、局在化精度の向上を、構造化照明の移動およびセグメント化と局在化を自動的に組み合わせる方法によって実行する。本発明の一態様による記述した種々の方法および装置は、必要とされる強度の密度をもたらす少なくとも１種類の構造化照明によって、および追加の光学素子によって既知の共焦点設定または広視野照明設定を広げるものである。
【符号の説明】
【０２５７】
１  光学系光源
２  可動式レンズ系
３  ビームスプリッタ
４  ミラー（可動式）
５  第１集光レンズ
６  第２集光レンズ
７  第１ダイクロイックビームスプリッタ
８  第２ダイクロイックビームスプリッタ
９  第１対物レンズ
１０  第２対物レンズ
１１  試料
１２  円柱レンズ
１３  第１センサ
１４  第２センサ
１５  第１検出光路
１６  第２検出光路
１７  構造化照明
１８  対象物
１９  「位相走査」変調
２０  軸方向位置の決定
２１  変調
２２  軸方向広がり／サイズの決定
２３  光軸
２４  可動式レンズ
２５  可動式ミラー
２６  追加のミラー
３１  レーザ
３２  レーザ
３３  対物レンズ
３４  ダイクロイック素子
３５  ダイクロイック素子
３５〜３９  レンズまたはレンズ系
４０  ブロッキングフィルタ
４１  試料
４２  画像取得カメラ
４３  対物レンズ
４４  圧電ステージ
４５  処理ユニット
４６〜４８  ミラー
５１  レーザ光源
５２  コリメータ
５３  ビームスプリッタ
５４  対物レンズ
５５  対物レンズ
５６  圧電ステージ
５７  圧電ミラー
５８  ダイクロイックミラー
５９  カメラ
６０  ブロッキングフィルタ
６１  第１集光レンズ
６２  第２集光レンズ
６３  ミラー
【図１】
2011514532.tif 000010
【図２】
2011514532.tif 000011
【図３】
2011514532.tif 000012
【図４】
2011514532.tif 000013
【図５】
2011514532.tif 000014
【図６】
2011514532.tif 000015
【図７】
2011514532.tif 000016
【図８】
2011514532.tif 000017
【図９ａ】
2011514532.tif 000018
【図９ｂ】
2011514532.tif 000019
【図１０】
2011514532.tif 000020
【国際調査報告】
2011514532.tif 000021
2011514532.tif 000022
2011514532.tif 000023
2011514532.tif 000024